(57)【要約】あるＶｏＩＰ端末から宛先電話番号を含む接続要求を受信すると、その宛先電話番号に対応するＩＰアドレスを検索する通信制御装置８と、その通信制御装置８により検索されたＩＰアドレスに係るＶｏＩＰ端末を管轄する多重伝送装置１１又は１０と接続要求の送信元のＶｏＩＰ端末を管轄する多重伝送装置１０又は１１を特定し、双方の多重伝送装置１０，１１に対して相手方の多重伝送装置１１，１０及びＶｏＩＰ端末のＩＰアドレスを通知する多重制御装置９とを設ける。【特許請求の範囲】
【請求項１】
複数の端末装置からパケットを受信すると、複数のパケットを多重化して他の多重伝送装置に送信する一方、他の多重伝送装置から多重化されたパケットを受信すると、多重化されたパケットを分解して任意の端末装置に送信する多重伝送装置を備えたパケット通信システ厶において、ある端末装置から宛先電話番号を含む接続要求を受信すると、その宛先電話番号に対応するアドレスを検索する通信制御装置と、上記通信制御装置により検索されたアドレスに係る端末装置を管轄する多重伝送装置と当該接続要求の送信元の端末装置を管轄する多重伝送装置を特定し、双方の多重伝送装置に対して相手方の多重伝送装置及び端末装置のアドレスを通知する多重制御装置とを設けたことを特徴とするパケット通信システム。
【請求項２】
多重伝送装置は、複数のパケットを多重化する際、そのパケット内のペイロードを複数のショートパケットから構成し、そのショートパケットのヘッダに宛先の端末装置のアドレスを含めることを特徴とする請求の範囲第１項記載のパケット通信システム。
【請求項３】
多重伝送装置は、複数のパケットを多重化する際、そのパケット内のペイロードを複数のショートパケットから構成し、そのショートパケットのヘッダにシリアル番号を含めることを特徴とする請求の範囲第１項記載のパケット通信システム。
【請求項４】
多重伝送装置は、複数のパケットを多重化する際、そのパケット内のペイロードを複数のショートパケットから構成し、そのショートパケットのヘッダに音声符号化方式の識別情報を含めることを特徴とする請求の範囲第１項記載のパケット通信システム。
【請求項５】
多重制御装置は、通信制御装置により検索されたアドレスに係る端末装置を管轄する多重伝送装置と、接続要求の送信元の端末装置を管轄する多重伝送装置とが同一の多重伝送装置である場合、その多重伝送装置に対するアドレスの通知を行わず、通信対象の端末装置間で直接パケットの通信を行わせることを特徴とする請求の範囲第１項記載のパケット通信システ厶。
【請求項６】
多重伝送装置がネットワークに接続される際、その多重伝送装置のアドレスと、その多重伝送装置が管轄する端末装置のアドレスとを多重制御装置に設定することを特徴とする請求の範囲第１項記載のパケット通信システ厶。
【請求項７】
多重制御装置は、多重伝送装置のアドレスの上位アドレスと、端末装置のアドレスの上位アドレスとを共通化することを特徴とする請求の範囲第６項記載のパケット通信システム。
【請求項８】
通信制御装置及び多重制御装置がネットワーク上に複数設置される場合、各通信制御装置は宛先電話番号から他の通信制御装置のアドレスを検索し、各多重制御装置は他の通信制御装置に対応する多重伝送装置と接続要求の送信元の端末装置を管轄する多重伝送装置を特定することを特徴とする請求の範囲第１項記載のパケット通信システ厶。
【請求項９】
多重制御装置は、予め他の多重制御装置のアドレスを設定することを特徴とする請求の範囲第８項記載のパケット通信システム。
【請求項１０】
多重制御装置は、他の多重制御装置にパケットを送信する際、自己が管轄する多重伝送装置のアドレスを当該パケットに付加することを特徴とする請求の範囲第８項記載のパケット通信システム。
【請求項１１】
多重制御装置は、送信先の端末装置を管轄する多重制御装置が設置されていない場合、送信元の端末装置から受信したパケットに含まれている送信元の端末装置のアドレスを自己が管轄する多重伝送装置のアドレスに変更せずに、そのパケットを送信先の端末装置に転送することを特徴とする請求の範囲第８項記載のパケット通信システム。
【請求項１２】
新たな多重制御装置がネットワークに増設される場合、その多重制御装置が既存の多重制御装置に対して増設された旨を通知することを特徴とする請求の範囲第８項記載のパケット通信システム。
【請求項１３】
複数の端末装置からパケットを受信すると、複数のパケットを多重化して他の多重伝送装置に送信する一方、他の多重伝送装置から多重化されたパケットを受信すると、多重化されたパケットを分解して任意の端末装置に送信する多重伝送装置を備えたパケット通信システムにおいて、ある端末装置から当該端末装置のアドレスが記述されているＳＩＰメッセージを受信すると、そのＳＩＰメッセージに記述されているアドレスを通信相手の端末装置を管轄する多重伝送装置のアドレスに書き換えて、そのＳＩＰメッセージを通信相手の端末装置に送信する多重制御装置を設けたことを特徴とするパケット通信システム。
【請求項１４】
多重制御装置は、ＳＩＰメッセージを端末装置に送信する際、メッセージの伝送ルートを当該ＳＩＰメッセージに付加することを持徴とする請求の範囲第１３項記載のパケット通信システム。
【請求項１５】
多重制御装置は、端末装置からＡＣＫメッセージを受信すると、そのＡＣＫメッセージを通信制御装置に転送せず、通信相手の端末装置に転送することを特徴とする請求の範囲第１４項記載のパケット通信システ厶。
【請求項１６】
多重制御装置は、端末装置から当該端末装置のアドレスを含む登録メッセージを受信すると、そのアドレスを自身のアドレスに書き換えて、その登録メッセージを通信制御装置に送信することを特徴とする請求の範囲第１３項記載のパケット通信システ厶。
【請求項１７】
多重制御装置は、終話時に端末装置から送信される特定のＳＩＰメッセージを受信すると、複数の端末装置間の通信に必要なアドレスの消去を多重伝送装置に指示することを特徴とする請求の範囲第１３項記載のパケット通信システム。
【請求項１８】
多重伝送装置は、通信中の端末装置から一定時間以上継続してパケットが送信されてこない場合、複数の端末装置間の通信に必要なアドレスを消去することを特徴とする請求の範囲第１３項記載のパケット通信システム。
【発明の詳細な説明】
【技術分野】  この発明は、音声信号等をパケット化して伝送するパケット通信システムに関するものである。
【背景技術】  近年のＩＰ（Ｉｎｔｅｒｎｅｔ  Ｐｒｏｔｏｃｏｌ）通信の発展により、電話音声信号やファクシミリ信号をＩＰパケット化して伝送するＶｏＩＰ（Ｖｏｉｃｅ  ｏｖｅｒ  ＩＰ）技術が注目されている。
しかし、ＶｏＩＰ端末がＩＰパケットを他のＶｏＩＰ端末に直接伝送する場合、ＩＰパケットのオーバーヘッドが大きくなることが知られている。
そこで、従来のパケット通信システムは、音声の伝送遅延の増大を招くことなく、ＩＰパケットのオーバーヘッドを低減するために、ゲートウェイや多重伝送装置を設置するようにしている。
具体的には次の通りである。たたし、下記の例では、電話機とゲートウェイの組合せがＶｏＩＰ端末に相当する。
まず、電話機がアナログの音声信号をディジタル化し、そのディジタルの音声データを発信すると、ゲートウェイが電話機から発信された音声データを公衆電話網経由で受信する。
ゲートウェイは、音声データを受信すると、その音声データをＩＰパケット化して多重伝送装置に出力する。
ここで、ＩＰパケットのペイロードには、複数のショートパケット（シーケンス番号、宛先ＰＳＴＮアドレス（ＰＳＴＮ：Ｐｕｂｌｉｃ  Ｓｗｉｔｃｈｅｄ  Ｔｅｌｅｐｈｏｎｅ  Ｎｅｔｗｏｒｋ）、宛先ゲートウェイアドレス、宛先多重伝送装置アドレス、音声データ）が多重化されている。
多重伝送装置は、複数のゲートウェイからＩＰパケットを受けると、複数のＩＰパケットからショートパケットを抜き出して、宛先多重伝送装置が同じであるショートパケットを集め、それらのショートパケットを再度多重化してＩＰパケット化し、宛先の多重伝送装置に伝送する。
宛先の多重伝送装置は、ＩＰパケットを受信すると、そのＩＰパケットから音声データを抜き出して、その音声データを送信対象の電話機に送信する（特許文献１を参照）。
［特許文献１］
特開２０００−４２５９公報（段落番号［００１１］から［００４２］、第１図）
従来のパケット通信システムは以上のように構成されているので、ネットワークに接続される各電話機は、予め、ネットワーク内に存在する全ての電話機の電話番号及びＩＰアドレスと、対応する多重伝送装置のＩＰアドレスとを記憶しておく必要がある。しかし、電話機はエンドユーザが所有する機器であるためネットワークには膨大な個数が接続される。また、電話機はエンドユーザが所有する機器であるため増設や撤去が頻繁に行われる。したがって、各電話機がネットワーク内に存在する全ての電話機のＩＰアドレス等を予め記憶しておくことは現実的に困難であるなどの課題があった。
この発明は上記のような課題を解決するためになされたもので、多数のＶｏＩＰ端末がネットワークに接続される場合でも、音声の伝送遅延の増大を招くことなく、ＩＰパケットのオーバーヘッドを低減することができるパケット通信システムを得ることを目的とする。
【発明の開示】
この発明に係るパケット通信システムは、ある端末装置から宛先電話番号を含む接続要求を受信すると、その宛先電話番号に対応するアドレスを検索する通信制御装置と、その通信制御装置により検索されたアドレスに係る端末装置を管轄する多重伝送装置と接続要求の送信元の端末装置を管轄する多重伝送装置を特定し、双方の多重伝送装置に対して相手方の多重伝送装置及び端末装置のアドレスを通知する多重制御装置とを設けたものである。
このことによって、多数の端末装置がネットワークに接続される場合でも、音声の伝送遅延の増大を招くことなく、ＩＰパケットのオーバーヘッドを低減することができる効果がある。
【図面の簡単な説明】  第１図はこの発明の実施の形態１によるパケット通信システムを示す構成図である。
第２図は多重伝送装置により多重化されたパケットのフォーマットを示す説明図である。
第３図はこの発明の実施の形態２によるパケット通信システムを示す構成図である。
第４図はこの発明の実施の形態３によるパケット通信システ厶を示す構成図である。
第５図はこの発明の実施の形態４によるパケット通信システムを示す構成図である。
第６図は多重伝送装置により多重化されたパケットのフォーマットを示す説明図である。
第７図はＳＩＰプロトコルによる通信制御を行う場合のパケット通信システムを示す概略構成図である。
第８図はパケット通信システムの通信プロトコルを示すシーケンス図である。
第９図はこの発明の実施の形態６によるパケット通信システムの通信プロトコルを示すシーケンス図である。
第１０図はこの発明の実施の形態７によるパケット通信システムの通信プロトコルを示すシーケンス図である。
第１１図はこの発明の実施の形態８によるパケット通信システムの通信プロトコルを示すシーケンス図である。
第１２図はこの発明の実施の形態９によるパケット通信システムを示す構成図である。
第１３図はこの発明の実施の形態１０によるパケット通信システムを示す構成図である。
第１４図はこの発明の実施の形態１０によるパケット通信システムの通信プロトコルを示すシーケンス図である。
第１５図はこの発明の実施の形態１０によるパケット通信システムの通信プロトコルを示すシーケンス図である。
第１６図はこの発明の実施の形態１１によるパケット通信システムの通信プロトコルを示すシーケンス図である。
第１７図はこの発明の実施の形態１２によるパケット通信システムの通信プロトコルを示すシーケンス図である。
第１８図はこの発明の実施の形態１３によるパケット通信システムの通信プロトコルを示すシーケンス図である。
【発明を実施するための最良の形態】  以下、この発明をより詳細に説明するために、この発明を実施するための最良の形態について、添付の図面に従って説明する。
実施の形態１．
第１図はこの発明の実施の形態１によるパケット通信システ厶を示す構成図である。図において、ＶｏＩＰ端末１〜４は電話機やファクシミリなどの端末装置であり、ＶｏＩＰ端末１，２はローカルＩＰ網５に接続され、ＶｏＩＰ端末３，４はローカルＩＰ網６に接続されている。なお、ローカルＩＰ網５とローカルＩＰ網６はＩＰ基幹網７に接続されている。
通信制御装置８は例えばＶｏＩＰ端末１から宛先電話番号（例えば、ＶｏＩＰ端末４の電話番号）を含む接続要求を受信すると、その宛先電話番号に対応するＩＰアドレスを検索し、その検索結果を多重制御装置９に出力する。多重制御装置９は通信制御装置８により検索されたＩＰアドレスに係るＶｏＩＰ端末４を管轄する多重伝送装置１１と、接続要求の送信元のＶｏＩＰ端末１を管轄する多重伝送装置１０を特定し、多重伝送装置１１に対して多重伝送装置１０のＩＰアドレスとＶｏＩＰ端末１のＩＰアドレスを通知するとともに、多重伝送装置１０に対して多重伝送装置１１のＩＰアドレスとＶｏＩＰ端末４のＩＰアドレスを通知する。
多重伝送装置１０はＶｏＩＰ端末１，２からＩＰパケットを受信すると、複数のＩＰパケットを多重化して多重伝送装置１１に送信する一方、多重伝送装置１１から多重化されたＩＰパケットを受信すると、多重化されたＩＰパケットを分解してＶｏＩＰ端末１，２に送信する。多重伝送装置１１はＶｏＩＰ端末３，４からＩＰパケットを受信すると、複数のＩＰパケットを多重化して多重伝送装置１０に送信する一方、多重伝送装置１０から多重化されたＩＰパケットを受信すると、多重化されたＩＰパケットを分解してＶｏＩＰ端未３，４に送信する。
次に動作について説明する。
例えば、ＶｏＩＰ端末１の使用者がＶｏＩＰ端末４の電話番号をダイヤルすると、ＶｏＩＰ端末１は、宛先電話番号（ＶｏＩＰ端末４の電話番号）を含む接続要求パケット（制御パケット）を多重制御装置９に送信する。
多重制御装置９は、ＶｏＩＰ端末１から宛先電話番号（ＶｏＩＰ端末４の電話番号）を含む接続要求パケットを受信すると、その接続要求パケットを通信制御装置８に転送するとともに、その接続要求パケットを一時的に保存する。
通信制御装置８は、多重制御装置９から宛先電話番号（ＶｏＩＰ端末４の電話番号）を含む接続要求パケットを受信すると、ＶｏＩＰ端末４の電話番号に対応するＩＰアドレスを検索し、その検索結果を多重制御装置９に返信する。
なお、通信制御装置８は、ローカルＩＰ網５，６に接続されているＶｏＩＰ端末１〜４の電話番号とＩＰアドレスを管理している。
多重制御装置９は、通信制御装置８により検索されたＩＰアドレスを受けると、そのＩＰアドレスを参照して、宛先であるＶｏＩＰ端末４を管轄する多重伝送装置１１を特定し、また、接続要求パケットの送信元のＶｏＩＰ端末１を管轄する多重伝送装置１０を特定する。
そして、多重制御装置９は、ＶｏＩＰ端末１から受信した接続要求パケットにＶｏＩＰ端末４を管轄する多重伝送装置１１のＩＰアドレスを含めて（接続要求パケットに元々含まれているＶｏＩＰ端末１のＩＰアドレスを多重伝送装置１１のＩＰアドレスに書き換える）、その接続要求パケットをＶｏＩＰ端末４に送信する。
ＶｏＩＰ端末４は、多重制御装置９から接続要求パケットを受信すると、現在接続可能な状態にあれば（例えば、他のＶｏＩＰ端末と通信していない状態）、接続許可パケット（制御パケット）を多重制御装置９に送信する。
多重制御装置９は、ＶｏＩＰ端末４から接続許可パケットを受信すると、その接続許可パケットを通信制御装置８に転送する。
そして、多重制御装置９は、ＶｏＩＰ端末４から受信した接続許可パケットに接続要求元のＶｏＩＰ端末１を管轄する多重伝送装置１０のＩＰアドレスを含めて（接続許可パケットに元々含まれているＶｏＩＰ端末４のＩＰアドレスを多重伝送装置１０のＩＰアドレスに書き換える）、その接続許可パケットをＶｏＩＰ端末１に送信する。
多重制御装置９は、上記のようにして接続許可パケットをＶｏＩＰ端末１に送信すると、多重化情報を多重伝送装置１０，１１に送信する。
即ち、多重伝送装置１０には、多重化情報として、ＩＰパケットの送信元であるＶｏＩＰ端末１のＩＰアドレスと、多重化したパケットの送信先である多重伝送装置１１のＩＰアドレスと、最終的な転送先であるＶｏＩＰ端末４のＩＰアドレスとを通知する。
また、多重伝送装置１１には、多重化情報として、ＩＰパケットの送信元であるＶｏＩＰ端末４のＩＰアドレスと、多重化したパケットの送信先である多重伝送装置１０のＩＰアドレスと、最終的な転送先であるＶｏＩＰ端末１のＩＰアドレスとを通知する。
ＶｏＩＰ端末１は、多重制御装置９から多重伝送装置１０のＩＰアドレスを含む接続許可パケットを受信すると、通信の確立を認識するとともに、音声パケットの送信先が多重伝送装置１０であると認識して、以降、音声パケットを多重伝送装置１０に送信する。
多重伝送装置１０は、ＶｏＩＰ端末１から音声パケットを受信すると、その音声パケットを多重化する。ただし、ＶｏＩＰ端末１以外のＶｏＩＰ端末（例えば、ＶｏＩＰ端末２）からも音声パケットを受信すると、複数の音声パケットからショートパケットを抜き出して、宛先多重伝送装置が同じであるショートパケットを集め、それらのショートパケットを再度多重化してＩＰパケット化する。
ただし、第１図の例では、多重伝送装置１０以外には、多重伝送装置１１が存在するだけであるため、複数の音声パケットから抜き出したショートパケットの宛先多重伝送装置は、すべて多重伝送装置１１になる。仮に、多重伝送装置１０以外に、複数の多重伝送装置が存在する場合、それらの多重伝送装置毎に、宛先多重伝送装置が同じであるショートパケットを集めて再度多重化する。
第２図は多重伝送装置１０により多重化されたパケットのフォーマットを示し、そのパケットを構成するショートパケットのヘッダには、宛先ＶｏＩＰ端末アドレス、シリアル番号、符号化タイプが付けられる。宛先ＶｏＩＰ端末アドレスは最終的な転送先であるＶｏＩＰ端末４のＩＰアドレスであり、シリアル番号には、同じ転送先のショートパケットに対して１ずつ増加する数値が付与され、ショートパケットの損失の検出に用いられる。符号化タイプは音声データの符号化方式の種別がコード化されたものである。
そして、多重伝送装置１０は、多重制御装置９から送信された多重化情報を参照して、多重化したパケットの送信先である多重伝送装置１１のＩＰアドレスを認識し、多重化したパケットを多重伝送装置１１に送信する。
多重伝送装置１１は、多重伝送装置１０から多重化されたパケットを受信すると、多重化されたパケットを分解して音声パケットを抜き出し、また、多重制御装置９から送信された多重化情報を参照して、音声パケットの最終的な転送先であるＶｏＩＰ端末４のＩＰアドレスを認識する。
そして、多重伝送装置１１は、その音声パケットを最終的な転送先であるＶｏＩＰ端末４に送信する。
一方、ＶｏＩＰ端末４は、接続許可パケットを多重制御装置９に送信すると、音声パケットの送信先が多重伝送装置１１であると認識して、以降、音声パケットを多重伝送装置１１に送信する。
多重伝送装置１１は、ＶｏＩＰ端末４から音声パケットを受信すると、その音声パケットを多重化する。ただし、ＶｏＩＰ端末４以外のＶｏＩＰ端末（例えば、ＶｏＩＰ端末３）からも音声パケットを受信すると、複数の音声パケットからショートパケットを抜き出して、宛先多重伝送装置が同じであるショートパケットを集め、それらのショートパケットを再度多重化してＩＰパケット化する。
ただし、第１図の例では、多重伝送装置１１以外には、多重伝送装置１０が存在するだけであるため、複数の音声パケットから抜き出したショートパケットの宛先多重伝送装置は、すべて多重伝送装置１０になる。仮に、多重伝送装置１１以外に、複数の多重伝送装置が存在する場合、それらの多重伝送装置毎に、宛先多重伝送装置が同じであるショートパケットを集めて再度多重化する。
そして、多重伝送装置１１は、多重制御装置９から送信された多重化情報を参照して、多重化したパケットの送信先である多重伝送装置１０のＩＰアドレスを認識し、多重化したパケットを多重伝送装置１０に送信する。
多重伝送装置１０は、多重伝送装置１１から多重化されたパケットを受信すると、多重化されたパケットを分解して音声パケットを抜き出し、また、多重制御装置９から送信された多重化情報を参照して、音声パケットの最終的な転送先であるＶｏＩＰ端末１のＩＰアドレスを認識する。
そして、多重伝送装置１０は、その音声パケットを最終的な転送先であるＶｏＩＰ端末１に送信する。
これにより、ＶｏＩＰ端末１とＶｏＩＰ端末４間のパケット通信が確立するが、このようなパケット通信を確立させるには、多重制御装置９がＶｏＩＰ端末１〜４と多重伝送装置１０，１１の対応関係を予め認識している必要がある。このため、多重伝送装置１０，１１をネットワーク上に設置する際、ＶｏＩＰ端末１〜４のＩＰアドレスと多重伝送装置１０，１１のＩＰアドレスが多重制御装置９に設定される。
ここで、全てのＶｏＩＰ端末１〜４のＩＰアドレスについて、接続先の多重伝送装置１０，１１のＩＰアドレスとの対応を設定することも不可能ではないが、この実施の形態１では、次のような方法で対応関係を設定する。
例えば、ローカルＩＰ網５に接続されるＶｏＩＰ端末１，２のＩＰアドレスを“ａ．ｂ．ｃ．０”〜“ａ．ｂ．ｃ．２５５”の範囲に設定し、ローカルＩＰ網６に接続されるＶｏＩＰ端末３，４のＩＰアドレスを“ｄ．ｅ．ｆ．０”〜“ｄ．ｅ．ｆ．２５５”の範囲に設定する。ただし、ａ、ｂ、ｃ、ｄ、ｅ、ｆはＩＰアドレスの上位３バイト分を規定するものであり、下位１バイトは“０”から“２５５”の範囲の整数であるとする。
このように、ＶｏＩＰ端末１〜４のＩＰアドレスを設定すれば、ＩＰアドレスが“ａ．ｂ．ｃ．０”〜“ａ．ｂ．ｃ．２５５”の範囲にあるＶｏＩＰ端末１，２は多重伝送装置１０に対応し、ＩＰアドレスが“ｄ．ｅ．ｆ．０”〜“ｄ．ｅ．ｆ．２５５”の範囲にあるＶｏＩＰ端末３，４は多重伝送装置１１に対応することを直ちに判別することができる。
この場合、多重制御装置９は、ＶｏＩＰ端末１〜４のＩＰアドレスから対応する多重伝送装置１０，１１を簡単に検索することができる。
なお、この実施の形態１では、ＶｏＩＰ端末１とＶｏＩＰ端末４がパケットを送受信するものについて示したが、例えば、ＶｏＩＰ端末１とＶｏＩＰ端末２がパケットを送受信する場合のように、同一の多重伝送装置１０によって管轄されるＶｏＩＰ端末間でパケットの送受信を行う場合、多重制御装置９は、多重伝送装置１０，１１に対する多重化情報の送信を行わない。このような場合、ＶｏＩＰ端末１とＶｏＩＰ端末２は、多重伝送装置１０，１１を介さずに、直接音声パケットの通信を行うようにする。
以上で明らかなように、この実施の形態１によれば、あるＶｏＩＰ端末から宛先電話番号を含む接続要求を受信すると、その宛先電話番号に対応するＩＰアドレスを検索する通信制御装置８と、その通信制御装置８により検索されたＩＰアドレスに係るＶｏＩＰ端末を管轄する多重伝送装置１１又は１０と接続要求の送信元のＶｏＩＰ端末を管轄する多重伝送装置１０又は１１を特定し、双方の多重伝送装置１０，１１に対して相手方の多重伝送装置１１，１０及びＶｏＩＰ端末のＩＰアドレスを通知する多重制御装置９とを設けるように構成したので、多数のＶｏＩＰ端末がネットワークに接続される場合でも、音声の伝送遅延の増大を招くことなく、ＩＰパケットのオーバーヘッドを低減することができる効果を奏する。
即ち、ＶｏＩＰ端末１〜４は、ネットワークに接続されている他のＶｏＩＰ端末のＩＰアドレスを記憶しておく必要がないので、多数のＶｏＩＰ端末がネットワークに接続される場合でも、多重伝送装置１１，１０経由のパケット多重伝送を実施することができる。そのため、音声の伝送遅延の増大を招くことなく、ＩＰパケットのオーバーヘッドを低減することができる。
この実施の形態１によれば、複数のパケットを多重化する際、そのパケット内のペイロードを複数のショートパケットから構成し、そのショートパケットのヘッダに宛先の端末装置のアドレス、シリアル番号や音声符号化方式の識別情報を含めるように構成しているので、既存のＶｏＩＰシグナリングプロトコルを適用することができる効果を奏する。
なお、音声通話パスの接続方式や、ＶｏＩＰ端末と通信制御装置８間で交換されるメッセージ形式は、ＶｏＩＰシグナリングと呼ばれる通信制御方式を利用するが、インターネットに関わる標準化団体であるＩＥＴＦ（Ｉｎｔｅｒｎｅｔ  Ｅｎｇｉｎｅｅｒｉｎｇ  Ｔａｓｋ  Ｆｏｒｃｅ）によって、その通信制御方式の標準化が行われている。その例としては、ＶｏＩＰに関わる通信制御全般について記述されたＳＩＰ（Ｓｅｓｓｉｏｎ  Ｉｎｉｔｉａｔｅ  Ｐｒｏｔｏｃｏｌ）や、通信制御装置８がＶｏＩＰ端末やゲートウェイを制御するプロトコルであるＭＥＧＡＣＯ（ＭＥｄｉａ  ＧＡｔｅｗａｙ  ＣＯｎｔｒｏｌ  ｐｒｏｔｏｃｏｌ）などの標準が存在する。したがって、ＳＩＰやＭＥＧＡＣＯなどのプロトコルを適用することができる。
この実施の形態１によれば、通信制御装置８により検索されたＩＰアドレスに係るＶｏＩＰ端末を管轄する多重伝送装置と、接続要求の送信元のＶｏＩＰ端末を管轄する多重伝送装置とが同一の多重伝送装置である場合、その多重伝送装置に対するＩＰアドレスの通知を行わず、通信対象のＶｏＩＰ端末間で直接パケットの通信を行わせるように構成したので、同一のローカルＩＰ網に接続されているＶｏＩＰ端末間のパケット通信の効率化を図ることができる効果を奏する。
この実施の形態１によれば、多重伝送装置がネットワークに接続される際、その多重伝送装置のＩＰアドレスと、その多重伝送装置が管轄するＶｏＩＰ端末のＩＰアドレスとを多重制御装置９に設定するように構成したので、ネットワークに接続されている全てのＶｏＩＰ端末間のパケット通信を確立することができる効果を奏する。
この実施の形態１によれば、多重伝送装置のＩＰアドレスの上位アドレスと、ＶｏＩＰ端末のＩＰアドレスの上位アドレスとを共通化するように構成したので、ＶｏＩＰ端末のＩＰアドレスから対応する多重伝送装置を簡単に検索することができる効果を奏する。
実施の形態２．
第３図はこの発明の実施の形態２によるパケット通信システムを示す構成図であり、図において、第１図と同一符号は同一または相当部分を示すので説明を省略する。
通信制御装置１２は例えばＶｏＩＰ端末１からＶｏＩＰ端末２の電話番号を含む接続要求を受信すると、ＶｏＩＰ端末２のＩＰアドレスを検索し、ＶｏＩＰ端末３，４の電話番号を含む接続要求を受信すると、ＶｏＩＰ端末３，４を管轄する通信制御装置１３のＩＰアドレスを検索する。通信制御装置１３は例えばＶｏＩＰ端末３からＶｏＩＰ端末４の電話番号を含む接続要求を受信すると、ＶｏＩＰ端末４のＩＰアドレスを検索し、ＶｏＩＰ端末１，２の電話番号を含む接続要求を受信すると、ＶｏＩＰ端末１，２を管轄する通信制御装置１２のＩＰアドレスを検索する。
多重制御装置１４は通信制御装置１２が通信制御装置１３のＩＰアドレスを検索すると、その通信制御装置１３に対応する多重伝送装置１１と、接続要求の送信元のＶｏＩＰ端末１を管轄する多重伝送装置１０を特定し、多重伝送装置１０に対して多重伝送装置１１のＩＰアドレスとＶｏＩＰ端末４のＩＰアドレスを通知する。多重制御装置１５は通信制御装置１３が通信制御装置１２のＩＰアドレスを検索すると、その通信制御装置１２に対応する多重伝送装置１０と、接続要求の送信元のＶｏＩＰ端末３を管轄する多重伝送装置１１を特定し、多重伝送装置１１に対して多重伝送装置１０のＩＰアドレスとＶｏＩＰ端末１のＩＰアドレスを通知する。
次に動作について説明する。
例えば、ＶｏＩＰ端末１の使用者がＶｏＩＰ端末４の電話番号をダイヤルすると、ＶｏＩＰ端末１は、宛先電話番号（ＶｏＩＰ端末４の電話番号）を含む接続要求パケットを多重制御装置１４に送信する。
多重制御装置１４は、ＶｏＩＰ端末１から宛先電話番号（ＶｏＩＰ端末４の電話番号）を含む接続要求パケットを受信すると、その接続要求パケットを通信制御装置１２に転送するとともに、その接続要求パケットを一時的に保存する。
通信制御装置１２は、多重制御装置１４から宛先電話番号（ＶｏＩＰ端末４の電話番号）を含む接続要求パケットを受信すると、ＶｏＩＰ端末４の電話番号に対応するＩＰアドレスを検索する。即ち、通信制御装置１２は、ＶｏＩＰ端末４が自己が管轄するＶｏＩＰ端末ではないので、ＶｏＩＰ端末４を管轄する通信制御装置１３のＩＰアドレスを検索し、その検索結果を多重制御装置１４に返信する。
ただし、宛先電話番号が自己が管轄するＶｏＩＰ端末（例えば、ＶｏＩＰ端末２）の電話番号である場合には、そのＶｏＩＰ端末２のＩＰアドレスを検索し、その検索結果を送信先であるＶｏＩＰ端末２に送信する。
なお、通信制御装置１２は、ローカルＩＰ網５，６に接続されているＶｏＩＰ端末１〜４の電話番号及びＩＰアドレスと、通信制御装置１３のＩＰアドレスを管理している。
多重制御装置１４は、通信制御装置１２から通信制御装置１３のＩＰアドレスを受けると、その通信制御装置１３に対応する多重伝送装置１１を特定し、また、接続要求パケットの送信元のＶｏＩＰ端末１を管轄する多重伝送装置１０を特定する。
そして、多重制御装置１４は、ＶｏＩＰ端末１から受信した接続要求パケットに送信元のＶｏＩＰ端末１を管轄する多重伝送装置１０のＩＰアドレスを含めて、その接続要求パケットを多重制御装置１５に送信する。
なお、多重制御装置１４は、通信制御装置１３を管轄する多重制御装置１５のＩＰアドレスを予め認識している。
多重制御装置１５は、多重制御装置１４から多重伝送装置１０のＩＰアドレスを含む接続要求パケットを受信すると、その多重伝送装置１０のＩＰアドレスを一時的に保存する一方、その接続要求パケットから多重伝送装置１０のＩＰアドレスを削除して、削除後の接続要求パケットを通信制御装置１３に送信する。
通信制御装置１３は、多重制御装置１５から宛先電話番号（ＶｏＩＰ端末４の電話番号）を含む接続要求パケットを受信すると、ＶｏＩＰ端末４の電話番号に対応するＩＰアドレスを検索する。
多重制御装置１５は、通信制御装置１３により検索されたＩＰアドレスを受けると、そのＩＰアドレスを参照して、宛先であるＶｏＩＰ端末４を管轄する多重伝送装置１１を特定し、また、接続要求パケットの送信元のＶｏＩＰ端末１を管轄する多重伝送装置１０を特定する。
そして、多重制御装置１５は、多重制御装置１４から受信した接続要求パケットにＶｏＩＰ端末４を管轄する多重伝送装置１１のＩＰアドレスを含めて（接続要求パケットに元々含まれているＶｏＩＰ端末１のＩＰアドレスを多重伝送装置１１のＩＰアドレスに書き換える）、その接続要求パケットをＶｏＩＰ端末４に送信する。
ＶｏＩＰ端末４は、多重制御装置１５から接続要求パケットを受信すると、現在接続可能な状態にあれば（例えば、他のＶｏＩＰ端末と通信していない状態）、接続許可パケットを多重制御装置１５に送信する。
多重制御装置１５は、ＶｏＩＰ端末４から接続許可パケットを受信すると、その接続許可パケットを通信制御装置１３に転送し、また、ＶｏＩＰ端末４を管轄する多重伝送装置１１のＩＰアドレスを接続許可パケットに含めて多重制御装置１４に転送する。
多重制御装置１４は、多重制御装置１５から多重伝送装置１１のＩＰアドレスを含む接続許可パケットを受信すると、その多重伝送装置１１のＩＰアドレスを一時的に保存する一方、その接続許可パケットから多重伝送装置１１のＩＰアドレスを削除して、削除後の接続要求パケットを通信制御装置１２に送信する。
そして、多重制御装置１４は、多重制御装置１５から受信した接続許可パケットに接続要求元のＶｏＩＰ端末１を管轄する多重伝送装置１０のＩＰアドレスを含めて（接続許可パケットに元々含まれているＶｏＩＰ端末４のＩＰアドレスを多重伝送装置１０のＩＰアドレスに書き換える）、その接続許可パケットをＶｏＩＰ端末１に送信する。
多重制御装置１４は、上記のようにして接続許可パケットをＶｏＩＰ端末１に送信すると、多重化情報を多重伝送装置１０に送信する。
即ち、多重伝送装置１０には、多重化情報として、ＩＰパケットの送信元であるＶｏＩＰ端末１のＩＰアドレスと、多重化したパケットの送信先である多重伝送装置１１のＩＰアドレス（接続許可パケットから抜き出して保存していたＩＰアドレス）と、最終的な転送先であるＶｏＩＰ端末４のＩＰアドレスとを通知する。
また、多重制御装置１４は、多重化情報を多重伝送装置１１に送信する。
即ち、多重伝送装置１１には、多重化情報として、ＩＰパケットの送信元であるＶｏＩＰ端末４のＩＰアドレスと、多重化したパケットの送信先である多重伝送装置１０のＩＰアドレス（接続要求パケットから抜き出して保存していたＩＰアドレス）と、最終的な転送先であるＶｏＩＰ端末１のＩＰアドレスとを通知する。
以下、ＶｏＩＰ端末１は、多重伝送装置１０，１１経由でＶｏＩＰ端末４とパケットの送受信を実施するが、このパケットの送受信動作は、上記実施の形態１と同様であるため説明を省略する。
これにより、ＶｏＩＰ端末１とＶｏＩＰ端末４間のパケット通信が確立するが、このようなパケット通信を確立させるには、多重制御装置１４は、ＶｏＩＰ端末１，２と多重伝送装置１０との対応関係を予め認識している必要があり、多重制御装置１５は、ＶｏＩＰ端末３，４と多重伝送装置１１との対応関係を予め認識している必要がある。
このため、多重制御装置１４は、多重伝送装置１０がネットワーク上に設置される際、ＶｏＩＰ端末１，２のＩＰアドレスと多重伝送装置１０のＩＰアドレスが設定される。また、多重制御装置１５は、多重伝送装置１１がネットワーク上に設置される際、ＶｏＩＰ端末３，４のＩＰアドレスと多重伝送装置１１のＩＰアドレスが設定される。ただし、ＩＰアドレスの設定方法は上記実施の形態１と同様であるため説明を省略する。
多重制御装置１４は、多重制御装置１５のＩＰアドレスを予め認識しておく必要があり、多重制御装置１５は、多重制御装置１４のＩＰアドレスを予め認識しておく必要がある。これについては、多重制御装置１４，１５がネットワーク上に設置される際に設定されるようにする。
なお、この実施の形態２では、ＶｏＩＰ端末１とＶｏＩＰ端末４がパケットを送受信するものについて示したが、例えば、ＶｏＩＰ端末１とＶｏＩＰ端末２がパケットを送受信する場合のように、同一の多重伝送装置１０によって管轄されるＶｏＩＰ端末間でパケットの送受信を行う場合、多重制御装置１４は、多重伝送装置１０に対する多重化情報の送信を行わない。このような場合、ＶｏＩＰ端末１とＶｏＩＰ端末２は、多重伝送装置１０，１１を介さずに、直接音声パケットの通信を行うようにする。
以上で明らかなように、この実施の形態２によれば、通信制御装置及び多重制御装置がネットワーク上に複数設置される場合、各通信制御装置は宛先電話番号から他の通信制御装置のアドレスを検索し、各多重制御装置は他の通信制御装置に対応する多重伝送装置と接続要求の送信元の端末装置を管轄する多重伝送装置を特定するように構成したので、通信制御装置及び多重制御装置がネットワーク上に複数設置される場合でも、上記実施の形態１と同様の効果を奏することができる。
実施の形態３．
上記実施の形態２では、各ローカルＩＰ網５，６にはそれぞれ多重制御装置１４，１５が設置されているものについて示したが、第４図に示すように、ローカルＩＰ網２３には多重制御装置が設置されていない場合がある。なお、第４図において、ＶｏＩＰ端末２１，２２はＶｏＩＰ端末１と同様のＶｏＩＰ端末、通信制御装置２４は通信制御装置１２と同様の通信制御装置、多重伝送装置２５は多重伝送装置１０と同様の多重伝送装置である。
この実施の形態３では、例えば、ＶｏＩＰ端末１がＶｏＩＰ端末２１，２２とパケットの通信を行う場合、多重制御装置１４は、ＶｏＩＰ端末１から受信した制御パケット（接続要求パケット、接続許可パケット）に含まれている送信元のＶｏＩＰ端末１のＩＰアドレスを自己が管轄する多重伝送装置１０のＩＰアドレスに変更せずに、その制御パケットをＶｏＩＰ端末２１，２２に転送するようにする。
具体的には次の通りである。
例えば、ＶｏＩＰ端末１がＶｏＩＰ端末４とパケットの通信を行う場合には、上記実施の形態２で説明した通りであり、ＶｏＩＰ端末１は、多重伝送装置１０，１１経由で、ＶｏＩＰ端末４とパケットの通信を行う。
しかし、ＶｏＩＰ端末１がＶｏＩＰ端末２１とパケットの通信を行う場合、多重制御装置１４がローカルＩＰ網２３側から受信する制御パケットは、ローカルＩＰ網２３に多重制御装置が設置されていないため、多重伝送装置２５のＩＰアドレスが付加されていないものになる。このため、多重制御装置１４は、自己が管轄する多重伝送装置１０に通知する多重化情報を得ることができず、上記実施の形態２のような多重伝送装置経由のパケット通信を行うことができない。
そこで、この実施の形態３では、例えば、ＶｏＩＰ端末１がＶｏＩＰ端末２１，２２とパケットの通信を行う場合、多重制御装置１４は、ＶｏＩＰ端末１から受信した制御パケット（接続要求パケット接続許可パケット）に含まれている送信元のＶｏＩＰ端末１のＩＰアドレスを自己が管轄する多重伝送装置１０のＩＰアドレスに変更せずに、その制御パケットをＶｏＩＰ端末２１，２２に転送するようにする。
これにより、ＶｏＩＰ端末１は、多重伝送装置１０，２５を介さずに、直接ＶｏＩＰ端末２１，２２とパケットの通信を行うようになる。
この実施の形態３によれば、多重制御装置が設置されていないローカルＩＰ網２３に接続されているＶｏＩＰ端末２１，２２が通信対象であっても、パケット通信を実施することができる効果を奏する。
実施の形態４．
上記実施の形態３では、ローカルＩＰ網２３に多重制御装置が設置されていないものについて示したが、第５図に示すように、新たな多重制御装置２６をローカルＩＰ網２３に追加するようにしてもよい。
このように、新たな多重制御装置２６をローカルＩＰ網２３に追加する場合、その多重制御装置２６が既存の多重制御装置１４，１５に対して増設された旨を通知するようにする。
具体的には次の通りである。
多重制御装置２６を追加する際には、上述したように、ローカルＩＰ網２３に接続されるＶｏＩＰ端末２１，２２と多重伝送装置２５の対応関係を予め認識している必要があるため、ＶｏＩＰ端末２１，２２のＩＰアドレスと多重伝送装置２５のＩＰアドレスが多重制御装置２６に設定される。
また、多重制御装置２６には、多重制御装置１４，１５のＩＰアドレスも設定される。
一方、多重制御装置２６が稼動を開始する際には、多重制御装置１４，１５に対して自装置が追加されたことを通知する。
これにより、多重制御装置１４，１５は、多重制御装置２６がネットワーク内に追加されたことを認識し、多重制御装置２６のＩＰアドレスを取得する。
この実施の形態４によれば、多重制御装置２６をネットワークに追加する際、多重制御装置１４，１５に対する多重制御装置２６のＩＰアドレスの設定を自動的に行うことができる効果を奏する。
実施の形態５．
上記実施の形態１〜４では、端末装置がＶｏＩＰ端末であるものについて示したが、これに限るものではなく、例えば、端末装置が電話回線を収容するゲートウェイであってもよい。
この場合、多重化されたショートパケットのヘッダには宛先電話回線のチャネル番号が必要となるため、多重伝送装置１０，１１等が出力するパケットのペイロードは第６図に示すようになる。
実施の形態６．
上記実施の形態１における音声通話パスの接続方式や、ＶｏＩＰ端末と通信制御装置８間で交換されるメッセージ形式は、ＶｏＩＰシグナリングと呼ばれる通信制御方式を利用している。
この通信制御方式としては、例えばＳＩＰやＭＥＧＡＣＯなどのプロトコルを適用することができることを説明したが、この実施の形態６では、特にＳＩＰプロトコルを用いた場合のパケット通信システムの動作について説明する。
まず、この実施の形態６におけるパケット通信システ厶の動作を具体的に説明する前に、ＳＩＰによる通信制御の基本的な動作を簡単に説明する。第７図はＳＩＰプロトコルによる通信制御を行う場合のパケット通信システムを示す概略構成図であり、第８図はパケット通信システムの通信プロトコルを示すシーケンス図である。
第７図に示すように、ＩＰ網３０（第１図のローカル網５，６及びＩＰ基幹網７に相当する）にＶｏＩＰ端末１とＶｏＩＰ端末４が接続された構成において、ＶｏＩＰ端末１とＶｏＩＰ端末４がＳＩＰのプロトコルにしたがって呼接続を行う場合、通信制御装置８を経由したＳＩＰメッセージの送受信が行われる。
ＳＩＰプロトコルにより通信制御を行う場合に使用される通信制御装置８はＳＩＰサーバと称され、この通信制御装置８は、ＶｏＩＰ端末間で送受信されるＳＩＰメッセージの転送を行うプロキシサーバの機能と、ＩＰネットワーク上のＶｏＩＰ端末の位置情報の登録を受け付ける登録サーバの機能とを有する。
まず、ＶｏＩＰ端末１の使用者がＶｏＩＰ端末１の電源を投入すると、ＶｏＩＰ端末１は、自身のＩＰアドレスを含むＲＥＧＩＳＴＥＲメッセージ１００（登録メッセージ）を通信制御装置８に送信する。
通信制御装置８は、ＶｏＩＰ端末１からＲＥＧＩＳＴＥＲメッセージ１００を受信すると、ＲＥＧＩＳＴＥＲメッセージ１００に含まれているＶｏＩＰ端末１のＩＰアドレスを登録する。即ち、ＶｏＩＰ端末１の位置情報を登録する。
また、通信制御装置８は、ＲＥＧＩＳＴＥＲメッセージ１００を正常に受信できたことを通知するため、ＯＫメッセージ１１０をＶｏＩＰ端末１に送信する。
同様に、ＶｏＩＰ端末４の使用者がＶｏＩＰ端末４の電源を投入すると、ＶｏＩＰ端末４は、自身のＩＰアドレスを含むＲＥＧＩＳＴＥＲメッセージ１２０を通信制御装置８に送信する。
通信制御装置８は、ＶｏＩＰ端末４からＲＥＧＩＳＴＥＲメッセージ１２０を受信すると、ＲＥＧＩＳＴＥＲメッセージ１２０に含まれているＶｏＩＰ端末４のＩＰアドレスを登録する。即ち、ＶｏＩＰ端末４の位置情報を登録する。
また、通信制御装置８は、ＲＥＧＩＳＴＥＲメッセージ１２０を正常に受信できたことを通知するため、ＯＫメッセージ１３０をＶｏＩＰ端末４に送信する。
上記のようにして、ＶｏＩＰ端末１，４の位置情報の登録が完了すると、以後、通信制御装置８は、ＶｏＩＰ端末１，４から送信されたＳＩＰメッセージをＶｏＩＰ端末４，１に転送することが可能になる。
次に、ＶｏＩＰ端末１の使用者がＶｏＩＰ端末４との通話を希望し、ＶｏＩＰ端末４の電話番号をダイヤルすると、ＶｏＩＰ端末１は、通話を希望する相手先（ＶｏＩＰ端末４）のＩＰアドレスを含むＩＮＶＩＴＥメッセージ２００ａ（接続要求パケット）を通信制御装置８に送信する。
通信制御装置８は、ＶｏＩＰ端末１からＩＮＶＩＴＥメッセージ２００ａを受信すると、そのＩＮＶＩＴＥメッセージ２００ａをＩＮＶＩＴＥメッセージ２００ｂとしてＶｏＩＰ端末４に転送する。
なお、ＶｏＩＰ端末１がＩＮＶＩＴＥメッセージ２００ａを通信制御装置８に送信するに際して、ＶｏＩＰ端末４のＩＰアドレスを知る必要があるが、例えば、ＶｏＩＰ端末１がＶｏＩＰ端末４の電話番号に対応するＩＰアドレスをＤＮＳサーバ３１に問い合わせることにより、ＶｏＩＰ端末４のＩＰアドレスを知ることができる。
ＶｏＩＰ端末４は、通信制御装置８からＩＮＶＩＴＥメッセージ２００ｂを受信すると、ＩＮＶＩＴＥメッセージ２００ｂを正常に受信できたことを通知するため、通話を希望してきた相手先（ＶｏＩＰ端末１）のＩＰアドレスを含むＯＫメッセージ２１０ａを通信制御装置８に送信する。
通信制御装置８は、ＶｏＩＰ端末４からＯＫメッセージ２１０ａを受信すると、そのＯＫメッセージ２１０ａをＯＫメッセージ２１０ｂとしてＶｏＩＰ端末１に転送する。
ＶｏＩＰ端末１は、通信制御装置８からＯＫメッセージ２１０ｂを受信すると、ＯＫメッセージ２１０ｂを正常に受信できたことを通知するため、ＡＣＫメッセージ２２０をＶｏＩＰ端末４に送信する。
このＡＣＫメッセージ２２０は、通信制御装置８を経由しないで、直接、ＶｏＩＰ端末４に送信することが可能である。ただし、通信制御装置８がＩＮＶＩＴＥメッセージ２００ｂをＶｏＩＰ端末４に送信する際に、通信制御装置８のＩＰアドレスを示すＲｅｃｏｒｄ−Ｒｏｕｔｅヘッダ（メッセージの伝送ルート）をＩＮＶＩＴＥメッセージ２００ｂに追加することにより、ＶｏＩＰ端末１，４間で送受信される以降のＳＩＰメッセージを、全て通信制御装置８経由で行うような指示がある場合は、この限りでない。
上記のようにして、ＩＮＶＩＴＥメッセージ２００、ＯＫメッセージ２１０、ＡＣＫメッセージ２２０の交換が行われると、ＶｏＩＰ端末１とＶｏＩＰ端末４の間にセッションが確立して通話可能な状態になり、以後、ＶｏＩＰ端末１とＶｏＩＰ端末４の間で音声パケット４００の送受信が開始される。
なお、このＩＮＶＩＴＥメッセージ２００、ＯＫメッセージ２１０、ＡＣＫメッセージ２２０の交換において、ＳＩＰメッセージの中にＳＤＰ（Ｓｅｓｓｉｏｎ  Ｄｅｆｉｎｉｔｉｏｎ  Ｐｒｏｔｏｃｏｌ：セッション記述プロトコル）によるセッション情報を含め、ＶｏＩＰ端末１，４間の通信に使用する音声コーデックの種別や、音声パケットの送信先ＩＰアドレスなどの取り決めが行われる。
このＳＤＰによるセッション情報の交換は、ＩＮＶＩＴＥメッセージ２００とＯＫメッセージ２１０より行われることが一般的であるが、ＩＮＶＩＴＥメッセージ２００の中にＳＤＰによるセッション情報を含めない場合、ＯＫメッセージ２１０とＡＣＫメッセージ２２０の中にＳＤＰによるセッション情報を含めて交換が行われる。
その後、ＶｏＩＰ端末１，４間の通話が終了し、通話者のいずれか一方、例えば、ＶｏＩＰ端末１の使用者がオンフックして終話処理を行うと、ＶｏＩＰ端末１は、ＢＹＥメッセージ２３０をＶｏＩＰ端末４に送信する。
ＶｏＩＰ端末４は、ＶｏＩＰ端末１からＢＹＥメッセージ２３０を受信すると、ＢＹＥメッセージ２３０を正常に受信できたことを通知するため、ＯＫメッセージ２４０をＶｏＩＰ端末１に送信する。ここまでの動作によりＶｏＩＰ端末１，４間の通信が終了する。
次に、第１図のパケット通信システムにおいて、通信制御手順としてＳＩＰプロトコルを用いた場合の動作を具体的に説明する。第９図はこの発明の実施の形態６によるパケット通信システ厶の通信プロトコルを示すシーケンス図である。
まず、ＶｏＩＰ端末１の使用者がＶｏＩＰ端末１の電源を投入すると、ＶｏＩＰ端末１は、ローカルＩＰ網５を介して、自身のＩＰアドレスを含むＲＥＧＩＳＴＥＲメッセージ１００ａを通信制御装置８に送信する。ただし、ＶｏＩＰ端末１から通信制御装置８に対する伝送路上には多重制御装置９が存在するので、ＶｏＩＰ端末１から送信されるＲＥＧＩＳＴＥＲメッセージ１００ａは、通信制御装置８が受信する前に多重制御装置９が受信する。
多重制御装置９は、ＶｏＩＰ端末１からＲＥＧＩＳＴＥＲメッセージ１００ａを受信すると、そのＲＥＧＩＳＴＥＲメッセージ１００ａをＲＥＧＩＳＴＥＲメッセージ１００ｂとして通信制御装置８に転送する。
通信制御装置８は、多重制御装置９からＲＥＧＩＳＴＥＲメッセージ１００ｂを受信すると、ＲＥＧＩＳＴＥＲメッセージ１００ｂに含まれているＶｏＩＰ端末１のＩＰアドレスを登録する。即ち、ＶｏＩＰ端末１の位置情報を登録する。
また、通信制御装置８は、ＲＥＧＩＳＴＥＲメッセージ１００ｂを正常に受信できたことを通知するため、ＯＫメッセージ１１０ａをＶｏＩＰ端末１に送信する。ただし、通信制御装置８からＶｏＩＰ端末１に対する伝送路上には多重制御装置９が存在するので、通信制御装置８から送信されるＯＫメッセージ１１０ａは、ＶｏＩＰ端末１が受信する前に多重制御装置９が受信する。
多重制御装置９は、通信制御装置８からＯＫメッセージ１１０ａを受信すると、ローカルＩＰ網５を介して、そのＯＫメッセージ１１０ａをＯＫメッセージ１１０ｂとしてＶｏＩＰ端末１に転送する。
同様に、ＶｏＩＰ端末４の使用者がＶｏＩＰ端末４の電源を投入すると、ＶｏＩＰ端末４は、ローカルＩＰ網６、ＩＰ基幹網７及びローカルＩＰ網５を介して、自身のＩＰアドレスを含むＲＥＧＩＳＴＥＲメッセージ１２０ａを通信制御装置８に送信する。ただし、ＶｏＩＰ端末４から通信制御装置８に対する伝送路上には多重制御装置９が存在するので、ＶｏＩＰ端末４から送信されるＲＥＧＩＳＴＥＲメッセージ１２０ａは、通信制御装置８が受信する前に多重制御装置９が受信する。
多重制御装置９は、ＶｏＩＰ端末４からＲＥＧＩＳＴＥＲメッセージ１２０ａを受信すると、そのＲＥＧＩＳＴＥＲメッセージ１２０ａをＲＥＧＩＳＴＥＲメッセージ１２０ｂとして通信制御装置８に転送する。
通信制御装置８は、多重制御装置９からＲＥＧＩＳＴＥＲメッセージ１２０ｂを受信すると、ＲＥＧＩＳＴＥＲメッセージ１２０ｂに含まれているＶｏＩＰ端末４のＩＰアドレスを登録する。即ち、ＶｏＩＰ端末４の位置情報を登録する。
また、通信制御装置８は、ＲＥＧＩＳＴＥＲメッセージ１２０ｂを正常に受信できたことを通知するため、ＯＫメッセージ１３０ａをＶｏＩＰ端末４に送信する。ただし、通信制御装置８からＶｏＩＰ端末４に対する伝送路上には多重制御装置９が存在するので、通信制御装置８から送信されるＯＫメッセージ１３０ａは、ＶｏＩＰ端末４が受信する前に多重制御装置９が受信する。
多重制御装置９は、通信制御装置８からＯＫメッセージ１３０ａを受信すると、ローカルＩＰ網５、ＩＰ基幹網７及びローカルＩＰ網６を介して、そのＯＫメッセージ１３０ａをＯＫメッセージ１３０ｂとしてＶｏＩＰ端末４に転送する。
上記のようにして、ＶｏＩＰ端末１，４の位置情報の登録が完了すると、以後、通信制御装置８は、ＶｏＩＰ端末１，４から送信されたＳＩＰメッセージをＶｏＩＰ端末４，１に転送することが可能になる。
次に、ＶｏＩＰ端末１の使用者がＶｏＩＰ端末４との通話を希望し、ＶｏＩＰ端末４の電話番号をダイヤルすると、ＶｏＩＰ端末１は、ローカルＩＰ網５を介して、通話を希望する相手先（ＶｏＩＰ端末４）のＩＰアドレスを含むＩＮＶＩＴＥメッセージ２００ｃを通信制御装置８に送信する。ただし、ＶｏＩＰ端末１から通信制御装置８に対する伝送路上には多重制御装置９が存在するので、ＶｏＩＰ端末１から送信されるＩＮＶＩＴＥメッセージ２００ｃは、通信制御装置８が受信する前に多重制御装置９が受信する。
このＩＮＶＩＴＥメッセージ２００ｃには、ＳＤＰによるセッション情報が含められ、通信相手（ＶｏＩＰ端末４）から送信される音声パケットの送り先ＩＰアドレスとして、ＶｏＩＰ端末１のＩＰアドレスがＳＤＰの中に記述される。
多重制御装置９は、ＶｏＩＰ端末１からＩＮＶＩＴＥメッセージ２００ｃを受信すると、そのＩＮＶＩＴＥメッセージ２００ｃをＩＮＶＩＴＥメッセージ２００ｄとして通信制御装置８に転送する。
通信制御装置８は、多重制御装置９からＩＮＶＩＴＥメッセージ２００ｄを受信すると、そのＩＮＶＩＴＥメッセージ２００ｄをＩＮＶＩＴＥメッセージ２００ｅとしてＶｏＩＰ端末４に転送する。ただし、通信制御装置８からＶｏＩＰ端末４に対する伝送路上には多重制御装置９が存在するので、通信制御装置８から転送されるＩＮＶＩＴＥメッセージ２００ｅは、ＶｏＩＰ端末４が受信する前に多重制御装置９が受信する。
ここでは、ＩＮＶＩＴＥメッセージ２００ｅを転送する際に、通信制御装置８のＩＰアドレスを示すＲｅｃｏｒｄ−ＲｏｕｔｅヘッダをＩＮＶＩＴＥメッセージ２００ｅに追加しないものとする。
多重制御装置９は、通信制御装置８からＩＮＶＩＴＥメッセージ２００ｅを受信すると、そのＩＮＶＩＴＥメッセージ２００ｅに含まれているＳＤＰによるセッション情報の書き換えを行う。
即ち、ＩＮＶＩＴＥメッセージ２００ｅに含まれているＳＤＰによるセッション情報には、通信相手（ＶｏＩＰ端末４）から送信される音声パケットの送り先ＩＰアドレスとして、ＶｏＩＰ端末１のＩＰアドレスが記述されているので、ＶｏＩＰ端末１のＩＰアドレスを多重伝送装置１１のＩＰアドレスに書き換える処理を行う。
多重制御装置９は、ローカルＩＰ網５、ＩＰ基幹網７及びローカルＩＰ網６を介して、書換処理後のＩＮＶＩＴＥメッセージ２００ｅをＩＮＶＩＴＥメッセージ２００ｆとしてＶｏＩＰ端末４に送信する。
ＶｏＩＰ端末４は、多重制御装置９からＩＮＶＩＴＥメッセージ２００ｆを受信すると、ＩＮＶＩＴＥメッセージ２００ｆを正常に受信できたことを通知するため、ローカルＩＰ網６、ＩＰ基幹網７及びローカルＩＰ網５を介して、通話を希望してきた相手先（ＶｏＩＰ端末１）のＩＰアドレスを含むＯＫメッセージ２１０ｃを通信制御装置８に送信する。ただし、ＶｏＩＰ端末４から通信制御装置８に対する伝送路上には多重制御装置９が存在するので、ＶｏＩＰ端末４から送信されるＯＫメッセージ２１０ｃは、通信制御装置８が受信する前に多重制御装置９が受信する。
このＯＫメッセージ２１０ｃには、ＳＤＰによるセッション情報が含められ、通信相手（ＶｏＩＰ端末１）から送信される音声パケットの送り先ＩＰアドレスとして、ＶｏＩＰ端末４のＩＰアドレスがＳＤＰの中に記述される。
多重制御装置９は、ＶｏＩＰ端末４からＯＫメッセージ２１０ｃを受信すると、そのＯＫメッセージ２１０ｃをＯＫメッセージ２１０ｄとして通信制御装置８に転送する。
通信制御装置８は、多重制御装置９からＯＫメッセージ２１０ｄを受信すると、そのＯＫメッセージ２１０ｄをＯＫメッセージ２１０ｅとしてＶｏＩＰ端末１に転送する。ただし、通信制御装置８からＶｏＩＰ端末１に対する伝送路上には多重制御装置９が存在するので、通信制御装置８から転送されるＯＫメッセージ２１０ｅは、ＶｏＩＰ端末１が受信する前に多重制御装置９が受信する。
多重制御装置９は、通信制御装置８からＯＫメッセージ２１０ｅを受信すると、そのＯＫメッセージ２１０ｅに含まれているＳＤＰによるセッション情報の書き換えを行う。
即ち、ＯＫメッセージ２１０ｅに含まれているＳＤＰによるセッション情報には、通信相手（ＶｏＩＰ端末１）から送信される音声パケットの送り先ＩＰアドレスとして、ＶｏＩＰ端末４のＩＰアドレスが記述されているので、ＶｏＩＰ端末４のＩＰアドレスを多重伝送装置１０のＩＰアドレスに書き換える処理を行う。
多重制御装置９は、ローカルＩＰ網５を介して、書換処理後のＯＫメッセージ２１０ｅをＯＫメッセージ２１０ｆとしてＶｏＩＰ端末１に送信する。
また、多重制御装置９は、ＯＫメッセージ２１０ｆをＶｏＩＰ端末１に送信すると、ローカルＩＰ網５を介して、多重化情報３００を多重伝送装置１０に送信し、ローカルＩＰ網５、ＩＰ基幹網７及びローカルＩＰ網６を介して、多重化情報３１０を多重伝送装置１１に送信する。
ここで、多重伝送装置１０に送信される多重化情報３００には、ＩＰパケットの送信元であるＶｏＩＰ端末１のＩＰアドレスと、多重化されたＩＰパケットの送信先である多重伝送装置１１のＩＰアドレスと、最終的な転送先であるＶｏＩＰ端末４のＩＰアドレスとが含まれている。
また、多重伝送装置１１に送信される多重化情報３１０には、ＩＰパケットの送信元であるＶｏＩＰ端末４のＩＰアドレスと、多重化されたＩＰパケットの送信先である多重伝送装置１０のＩＰアドレスと、最終的な転送先であるＶｏＩＰ端末１のＩＰアドレスとが含まれている。
ＶｏＩＰ端末１は、多重制御装置９からＯＫメッセージ２１０ｆを受信すると、ＯＫメッセージ２１０ｆを正常に受信できたことを通知するため、ＡＣＫメッセージ２２０をＶｏＩＰ端末４に送信する。
上述したように、通信制御装置８がＩＮＶＩＴＥメッセージ２００ｅを転送する際に、通信制御装置８のＩＰアドレスを示すＲｅｃｏｒｄ−ＲｏｕｔｅヘッダをＩＮＶＩＴＥメッセージ２００ｅに追加していないので、このＡＣＫメッセージ２２０は、通信制御装置８を経由しないで、直接、ＶｏＩＰ端末４に送信される。
上記のようにして、ＡＣＫメッセージ２２０の送信が完了した時点で、ＶｏＩＰ端末１，４が通信の確立を認識するが、多重制御装置９がＯＫメッセージ２１０ｅに含まれているＳＤＰによるセッション情報の書き換えを行っているため、ＶｏＩＰ端末１は、音声パケットの送信先が多重伝送装置１０であると認識して、以降、音声パケットを多重伝送装置１０に送信する。
多重伝送装置１０は、ＶｏＩＰ端末１から音声パケットを受信すると、その音声パケットを多重化する。ただし、ＶｏＩＰ端末１以外のＶｏＩＰ端末（例えば、ＶｏＩＰ端末２）からも音声パケットを受信すると、複数の音声パケットからショートパケットを抜き出して、宛先多重伝送装置が同じであるショートパケットを集め、それらのショートパケットを再度多重化してＩＰパケット化する。
同様に、多重制御装置９がＩＮＶＩＴＥメッセージ２００ｅに含まれているＳＤＰによるセッション情報の書き換えを行っているため、ＶｏＩＰ端末４は、音声パケットの送信先が多重伝送装置１１であると認識して、以降、音声パケットを多重伝送装置１１に送信する。
多重伝送装置１１は、ＶｏＩＰ端末４から音声パケットを受信すると、その音声パケットを多重化する。ただし、ＶｏＩＰ端末４以外のＶｏＩＰ端末（例えば、ＶｏＩＰ端末３）からも音声パケットを受信すると、複数の音声パケットからショートパケットを抜き出して、宛先多重伝送装置が同じであるショートパケットを集め、それらのショートパケットを再度多重化してＩＰパケット化する。
以上で明らかなように、この実施の形態６によれば、多重制御装置９がＶｏＩＰ端末１，４間で送受信されるＳＩＰメッセージの中のＳＤＰによるセッション情報を書き換え、ＶｏＩＰ端末１，４から送信される音声パケットの送信先が多重伝送装置１０，１１であると認識させるように構成したので、多重伝送装置１０，１１において音声パケットを多重化することができるようになり、その結果、多数のＶｏＩＰ端末がローカルＩＰ網５，６に接続される場合でも、音声の伝送遅延の増大を招くことなく、ＩＰパケットのオーバーヘッドを低減することができる効果を奏する。
実施の形態７．
上記実施の形態６では、ＳＤＰによるセッション情報の交換が、ＩＮＶＩＴＥメッセージ２００とＯＫメッセージ２１０により行われる場合について説明したが、ＩＮＶＩＴＥメッセージ２００の中にＳＤＰによるセッション情報を含めずに、ＯＫメッセージ２１０とＡＣＫメッセージ２２０により、ＳＤＰによるセッション情報の交換が行われるようにしてもよい。
この場合、通信制御装置８がＩＮＶＩＴＥメッセージ２００ｅを転送する際に、Ｒｅｃｏｒｄ−ＲｏｕｔｅヘッダをＩＮＶＩＴＥメッセージ２００ｅに追加していないと、ＡＣＫメッセージ２２０が通信制御装置８を経由しないで、直接、ＶｏＩＰ端末４に送信されるため、多重制御装置９がＡＣＫメッセージ２２０に含まれているＳＤＰによるセッション情報の書き換えを行うことができず、多重伝送装置１０，１１において音声パケットを多重化することができない。
このため、上記実施の形態６によるパケット通信システムにおいては、使用するＶｏＩＰ端末、または、通信制御装置８の仕様を限定する必要がある。
そこで、この発明の実施の形態７では、ＳＤＰによるセッション情報の交換が、ＯＫメッセージ２１０とＡＣＫメッセージ２２０により行われ、かつ、通信制御装置８がＲｅｃｏｒｄ−Ｒｏｕｔｅヘッダを追加していない場合でも、多重伝送装置１０，１１において音声パケットを多重化することができるようにしている。
第１０図はこの発明の実施の形態７によるパケット通信システムの通信プロトコルを示すシーケンス図である。
次に動作について説明する。
最初に、ＶｏＩＰ端末１，４は、通信制御装置８との間でＲＥＧＩＳＴＥＲメッセージやＯＫメッセージの交換を行うことにより、通信制御装置８に対して位置情報の登録を行うが、この位置情報の登録の動作は上記実施の形態６と同様であるため説明を省略する。
次に、ＶｏＩＰ端末１の使用者がＶｏＩＰ端末４との通話を希望し、ＶｏＩＰ端末４の電話番号をダイヤルすると、ＶｏＩＰ端末１は、ローカルＩＰ網５を介して、通話を希望する相手先（ＶｏＩＰ端末４）のＩＰアドレスを含むＩＮＶＩＴＥメッセージ２００ｇを通信制御装置８に送信する。ただし、ＶｏＩＰ端末１から通信制御装置８に対する伝送路上には多重制御装置９が存在するので、ＶｏＩＰ端末１から送信されるＩＮＶＩＴＥメッセージ２００ｇは、通信制御装置８が受信する前に多重制御装置９が受信する。
このＩＮＶＩＴＥメッセージ２００ｇには、ＳＤＰによるセッション情報が含められないものとする。
多重制御装置９は、ＶｏＩＰ端末１からＩＮＶＩＴＥメッセージ２００ｇを受信すると、そのＩＮＶＩＴＥメッセージ２００ｇをＩＮＶＩＴＥメッセージ２００ｈとして通信制御装置８に転送する。
通信制御装置８は、多重制御装置９からＩＮＶＩＴＥメッセージ２００ｈを受信すると、そのＩＮＶＩＴＥメッセージ２００ｈをＩＮＶＩＴＥメッセージ２００ｉとしてＶｏＩＰ端末４に転送する。ただし、通信制御装置８からＶｏＩＰ端末４に対する伝送路上には多重制御装置９が存在するので、通信制御装置８から転送されるＩＮＶＩＴＥメッセージ２００ｉは、ＶｏＩＰ端末４が受信する前に多重制御装置９が受信する。
多重制御装置９は、通信制御装置８からＩＮＶＩＴＥメッセージ２００ｉを受信すると、通信制御装置８のＩＰアドレスを示すＲｅｃｏｒｄ−Ｒｏｕｔｅヘッダを必要に応じてＩＮＶＩＴＥメッセージ２００ｉに追加する。
即ち、多重制御装置９は、ＩＮＶＩＴＥメッセージ２００ｉを解析して、通信制御装置８のアドレスを示すＲｅｃｏｒｄ−Ｒｏｕｔｅヘッダの有無を調査し、そのＲｅｃｏｒｄ−Ｒｏｕｔｅヘッダがあれば、通信制御装置８によりＲｅｃｏｒｄ−Ｒｏｕｔｅヘッダが追加されたものと判断して、そのヘッダの追加処理を行わないが、そのＲｅｃｏｒｄ−Ｒｏｕｔｅヘッダがなければ、通信制御装置８のＩＰアドレスを示すＲｅｃｏｒｄ−ＲｏｕｔｅヘッダをＩＮＶＩＴＥメッセージ２００ｉに追加する。
多重制御装置９は、ローカルＩＰ網５、ＩＰ基幹網７及びローカルＩＰ網６を介して、Ｒｅｃｏｒｄ−Ｒｏｕｔｅヘッダを含むＩＮＶＩＴＥメッセージ２００ｉをＩＮＶＩＴＥメッセージ２００ｊとしてＶｏＩＰ端末４に転送する。
ＶｏＩＰ端末４は、多重制御装置９からＩＮＶＩＴＥメッセージ２００ｊを受信すると、ＩＮＶＩＴＥメッセージ２００ｊを正常に受信できたことを通知するため、ローカルＩＰ網６、ＩＰ基幹網７及びローカルＩＰ網５を介して、通話を希望してきた相手先（ＶｏＩＰ端末１）のＩＰアドレスを含むＯＫメッセージ２１０ｇを通信制御装置８に送信する。ただし、ＶｏＩＰ端末４から通信制御装置８に対する伝送路上には多重制御装置９が存在するので、ＶｏＩＰ端末４から送信されるＯＫメッセージ２１０ｇは、通信制御装置８が受信する前に多重制御装置９が受信する。
このＯＫメッセージ２１０ｇには、ＳＤＰによるセッション情報が含められ、通信相手（ＶｏＩＰ端末１）から送信される音声パケットの送り先ＩＰアドレスとして、ＶｏＩＰ端末４のＩＰアドレスがＳＤＰの中に記述される。
多重制御装置９は、ＶｏＩＰ端末４からＯＫメッセージ２１０ｇを受信すると、そのＯＫメッセージ２１０ｇをＯＫメッセージ２１０ｈとして通信制御装置８に転送する。
通信制御装置８は、多重制御装置９からＯＫメッセージ２１０ｈを受信すると、そのＯＫメッセージ２１０ｈをＯＫメッセージ２１０ｉとしてＶｏＩＰ端末１に転送する。ただし、通信制御装置８からＶｏＩＰ端末１に対する伝送路上には多重制御装置９が存在するので、通信制御装置８から転送されるＯＫメッセージ２１０ｉは、ＶｏＩＰ端末１が受信する前に多重制御装置９が受信する。
多重制御装置９は、通信制御装置８からＯＫメッセージ２１０ｉを受信すると、そのＯＫメッセージ２１０ｉに含まれているＳＤＰによるセッション情報の書き換えを行う。
即ち、ＯＫメッセージ２１０ｉに含まれているＳＤＰによるセッション情報には、通信相手（ＶｏＩＰ端末１）から送信される音声パケットの送り先ＩＰアドレスとして、ＶｏＩＰ端末４のＩＰアドレスが記述されているので、ＶｏＩＰ端末４のＩＰアドレスを多重伝送装置１０のＩＰアドレスに書き換える処理を行う。
多重制御装置９は、ローカルＩＰ網５を介して、書換処理後のＯＫメッセージ２１０ｉをＯＫメッセージ２１０ｊとしてＶｏＩＰ端末１に送信する。
ＶｏＩＰ端末１は、多重制御装置９からＯＫメッセージ２１０ｊを受信すると、ＯＫメッセージ２１０ｊを正常に受信できたことを通知するため、ローカルＩＰ網５を介して、ＡＣＫメッセージ２２０ｅを通信制御装置８に送信する。ただし、ＶｏＩＰ端末１から通信制御装置８に対する伝送路上には多重制御装置９が存在するので、ＶｏＩＰ端末１から送信されるＡＣＫメッセージ２２０ｅは、通信制御装置８が受信する前に多重制御装置９が受信する。
このＡＣＫメッセージ２２０ｅには、ＳＤＰによるセッション情報が含められ、通信相手（ＶｏＩＰ端末４）から送信される音声パケットの送り先ＩＰアドレスとして、ＶｏＩＰ端末１のＩＰアドレスがＳＤＰの中に記述される。
多重制御装置９は、ＶｏＩＰ端末１からＡＣＫメッセージ２２０ｅを受信すると、そのＡＣＫメッセージ２２０ｅをＡＣＫメッセージ２２０ｆとして通信制御装置８に転送する。
この実施の形態７では、通信制御装置８がＲｅｃｏｒｄ−Ｒｏｕｔｅヘッダを追加していない場合には、多重制御装置９がＲｅｃｏｒｄ−ＲｏｕｔｅヘッダをＩＮＶＩＴＥメッセージ２００ｉに追加するようにしているので、ＡＣＫメッセージ２２０は、通信制御装置８経由でＶｏＩＰ端末４に送信されることになる。
通信制御装置８は、多重制御装置９からＡＣＫメッセージ２２０ｆを受信すると、そのＡＣＫメッセージ２２０ｆをＡＣＫメッセージ２２０ｇとしてＶｏＩＰ端末４に転送する。ただし、通信制御装置８からＶｏＩＰ端末４に対する伝送路上には多重制御装置９が存在するので、通信制御装置８から転送されるＡＣＫメッセージ２２０ｇは、ＶｏＩＰ端末４が受信する前に多重制御装置９が受信する。
多重制御装置９は、通信制御装置８からＡＣＫメッセージ２２０ｇを受信すると、そのＡＣＫメッセージ２２０ｇに含まれているＳＤＰによるセッション情報の書き換えを行う。
即ち、ＡＣＫメッセージ２２０ｇに含まれているＳＤＰによるセッション情報には、通信相手（ＶｏＩＰ端末４）から送信される音声パケットの送り先ＩＰアドレスとして、ＶｏＩＰ端末１のＩＰアドレスが記述されているので、ＶｏＩＰ端末１のＩＰアドレスを多重伝送装置１１のＩＰアドレスに書き換える処理を行う。
多重制御装置９は、ローカルＩＰ網５、ＩＰ基幹網７及びローカルＩＰ網６を介して、書換処理後のＡＣＫメッセージ２２０ｇをＡＣＫメッセージ２２０ｈとしてＶｏＩＰ端末４に送信する。
また、多重制御装置９は、ＡＣＫメッセージ２２０ｈをＶｏＩＰ端末４に送信すると、ローカルＩＰ網５を介して、多重化情報３００を多重伝送装置１０に送信し、ローカルＩＰ網５、ＩＰ基幹網７及びローカルＩＰ網６を介して、多重化情報３１０を多重伝送装置１１に送信する。
ここで、多重伝送装置１０に送信される多重化情報３００には、ＩＰパケットの送信元であるＶｏＩＰ端末１のＩＰアドレスと、多重化されたＩＰパケットの送信先である多重伝送装置１１のＩＰアドレスと、最終的な転送先であるＶｏＩＰ端末４のＩＰアドレスとが含まれている。
また、多重伝送装置１１に送信される多重化情報３１０には、ＩＰパケットの送信元であるＶｏＩＰ端末４のＩＰアドレスと、多重化されたＩＰパケットの送信先である多重伝送装置１０のＩＰアドレスと、最終的な転送先であるＶｏＩＰ端末１のＩＰアドレスとが含まれている。
上記のようにして、ＡＣＫメッセージ２２０の送信が完了した時点で、ＶｏＩＰ端末１，４が通信の確立を認識し、音声パケットの送受信を開始するが、以後の動作は、上記実施の形態６と同様であるため説明を省略する。
以上で明らかなように、この実施の形態７によれば、ＳＤＰによるセッション情報の交換が、ＯＫメッセージ２１０とＡＣＫメッセージ２２０により行われ、かつ、通信制御装置８がＲｅｃｏｒｄ−Ｒｏｕｔｅヘッダを追加していない場合でも、多重制御装置９が代わりにＲｅｃｏｒｄ−Ｒｏｕｔｅヘッダを追加し、ＳＤＰを含むＡＣＫメッセージを強制的に通信制御装置８を経由して送信するように構成したので、通信制御装置８がＲｅｃｏｒｄ−Ｒｏｕｔｅヘッダを追加するか否かに拘わらず、多重制御装置９がＶｏＩＰ端末１，４間で送受信されるＳＩＰメッセージの中のＳＤＰによるセッション情報を書き換えることができるようになり、その結果、多数のＶｏＩＰ端末がローカルＩＰ網５，６に接続される場合でも、音声の伝送遅延の増大を招くことなく、ＩＰパケットのオーバーヘッドを低減することができる効果を奏する。
実施の形態８．
上記実施の形態７では、通信制御装置８がＲｅｃｏｒｄ−Ｒｏｕｔｅヘッダを追加していない場合、多重制御装置９が代わりにＲｅｃｏｒｄ−Ｒｏｕｔｅヘッダを追加し、ＳＤＰを含むＡＣＫメッセージを強制的に通信制御装置８を経由して送信するものについて示したが、この場合、通信制御装置８は、ＡＣＫメッセージを受信することを予期していないにも拘わらず、多重制御装置９からＡＣＫメッセージを受信することになり、通信制御装置８の内部状態の不一致を招く可能性がある。
そこで、この発明の実施の形態８では、多重制御装置９が、通信制御装置８がＲｅｃｏｒｄ−Ｒｏｕｔｅヘッダを追加したか否かを判定し、その判定結果にしたがってＡＣＫメッセージの転送先を決めることにより、通信制御装置８の内部状態の不一致を招かないようにしている。
第１１図はこの発明の実施の形態８によるパケット通信システムの通信プロトコルを示すシーケンス図である。
最初に、ＶｏＩＰ端末１，４は、通信制御装置８との間でＲＥＧＩＳＴＥＲメッセージやＯＫメッセージの交換を行うことにより、通信制御装置８に対して位置情報の登録を行うが、この位置情報の登録の動作は上記実施の形態６と同様であるため説明を省略する。
また、ＶｏＩＰ端末１とＶｏＩＰ端末４におけるＩＮＶＩＴＥメッセージやＯＫメッセージの交換については、上記実施の形態７と同様であるため説明を省略する。
ただし、この実施の形態８における多重制御装置９は、通信制御装置８からＩＮＶＩＴＥメッセージ２００ｊをＶｏＩＰ端末４に転送する際、そのＩＮＶＩＴＥメッセージ２００ｊにＲｅｃｏｒｄ−Ｒｏｕｔｅヘッダを追加したか否かを示す情報を記録するものとする。
ＶｏＩＰ端末１は、多重制御装置９からＯＫメッセージ２１０ｊを受信すると、そのＯＫメッセージ２１０ｊを正常に受信できたことを通知するため、ローカルＩＰ網５を介して、ＡＣＫメッセージ２２０ｉを通信制御装置８に送信する。
ただし、通信制御装置８がＲｅｃｏｒｄ−Ｒｏｕｔｅヘッダを追加していない場合には、多重制御装置９が代わりにＲｅｃｏｒｄ−Ｒｏｕｔｅヘッダを追加しているため、通信制御装置８がＲｅｃｏｒｄ−Ｒｏｕｔｅヘッダを追加しているか否かに拘わらず、このＡＣＫメッセージ２２０ｉの宛先は、常に通信制御装置８となっている。
多重制御装置９は、ＶｏＩＰ端末１からＡＣＫメッセージ２２０ｉを受信すると、ＩＮＶＩＴＥメッセージ２００ｉにＲｅｃｏｒｄ−Ｒｏｕｔｅヘッダを追加したか否かを示す情報を参照して、そのＡＣＫメッセージ２２０ｉの転送先を決定する。
即ち、多重制御装置９は、自身がＩＮＶＩＴＥメッセージ２００ｉにＲｅｃｏｒｄ−Ｒｏｕｔｅヘッダを追加している場合、そのＡＣＫメッセージ２２０ｉの宛先を強制的に通信制御装置８からＶｏＩＰ端末４に書き換え、そのＡＣＫメッセージ２２０ｉをＡＣＫメッセージ２２０ｊとしてＶｏＩＰ端末４に転送する。
一方、多重制御装置９は、自身がＩＮＶＩＴＥメッセージ２００ｉにＲｅｃｏｒｄ−Ｒｏｕｔｅヘッダを追加していない場合、ＡＣＫメッセージ２２０ｉの宛先を変更せず、そのＡＣＫメッセージ２２０ｉを通信制御装置８に転送する。この場合、上記実施の形態７と同様の経路（ＶｏＩＰ端末１、多重制御装置９、通信制御装置８、多重制御装置９、ＶｏＩＰ端末４）でＡＣＫメッセージ２２０が転送される。
なお、多重制御装置９は、ＡＣＫメッセージ２２０ｊをＶｏＩＰ端末４に転送する際、そのＡＣＫメッセージ２２０ｊにＳＤＰによるセッション情報が含まれている場合、そのＳＤＰによるセッション情報の書き換えを行う。
即ち、ＡＣＫメッセージ２２０ｊに含まれているＳＤＰによるセッション情報には、通信相手（ＶｏＩＰ端末４）から送信される音声パケットの送り先ＩＰアドレスとして、ＶｏＩＰ端末１のＩＰアドレスが記述されているので、ＶｏＩＰ端末１のＩＰアドレスを多重伝送装置１１のＩＰアドレスに書き換える処理を行う。
以降の、多重化情報の送信や音声パケットの送受信の動作については、上記実施の形態７と同様であるため説明を省略する。
以上で明らかなように、この実施の形態８によれば、多重制御装置９が、通信制御装置８がＲｅｃｏｒｄ−Ｒｏｕｔｅヘッダを追加したか否かを判定し、その判定結果にしたがってＡＣＫメッセージの転送先を決めるように構成したので、通信制御装置８が受信することを予期していないＡＣＫメッセージを受信することによる内部状態の不一致の発生が回避され、信頼性を高めることができる効果を奏する。
実施の形態９．
上記実施の形態６〜８では、ローカルＩＰ網５から通信制御装置８に至る経路上に多重制御装置９を配置し、ＶｏＩＰ端末１，４から送信されるＳＩＰメッセージの宛先が通信制御装置８であって（ＶｏＩＰ端末間で直接ＳＩＰメッセージを送受信する場合を除く）、多重制御装置９が通信制御装置８宛のＳＩＰメッセージを中継する際、必要に応じてＳＩＰメッセージの書き換え（ＳＤＰによるセッション情報の書き換え、Ｒｅｃｏｒｄ−Ｒｏｕｔｅヘッダの追加）を行うものについて示したが、これに限るものではない。
例えば、第１２図に示すように、多重制御装置９及び通信制御装置８がローカルＩＰ網５に直接つながる形に配置するようにしてもよい。
この場合、ＶｏＩＰ端末１，４から送信されるＳＩＰメッセージの宛先は多重制御装置９となり（ＶｏＩＰ端末間で直接ＳＩＰメッセージを送受信する場合を除く）、多重制御装置９は、ＶｏＩＰ端末１，４から受信したＳＩＰメッセージを通信制御装置８に転送するようにする。
また、通信制御装置８からＶｏＩＰ端末１，４に送信するＳＩＰメッセージも、一旦、多重制御装置９に送信して、多重制御装置９がＶｏＩＰ端末１，４に転送するようにする。
実施の形態１０．
第１３図はこの発明の実施の形態１０によるパケット通信システ厶を示す構成図であり、図において、第１図と同一符号は同一または相当部分を示すので説明を省略する。
通信制御装置１８はＩＰ基幹網７に接続され、多重制御装置１９はローカルＩＰ網５に接続され、多重制御装置２０はローカルＩＰ網６に接続されている。
第１４図及び第１５図はこの発明の実施の形態１０によるパケット通信システ厶の通信プロトコルを示すシーケンス図である。
次に動作について説明する。
まず、ＶｏＩＰ端末１の使用者がＶｏＩＰ端末１の電源を投入すると、ＶｏＩＰ端末１は、ローカルＩＰ網５を介して、自身のＩＰアドレスを含むＲＥＧＩＳＴＥＲメッセージ１００ｃを多重制御装置１９に送信する。
多重制御装置１９は、ＶｏＩＰ端末１からＲＥＧＩＳＴＥＲメッセージ１００ｃを受信すると、そのＲＥＧＩＳＴＥＲメッセージ１００ｃに多重制御装置１９のＩＰアドレスを含め（ＲＥＧＩＳＴＥＲメッセージ１００ｃに元々含まれているＶｏＩＰ端末１のＩＰアドレスを多重制御装置１９のＩＰアドレスに書き換える）、ローカルＩＰ網５及びＩＰ基幹網７を介して、そのＲＥＧＩＳＴＥＲメッセージ１００ｃをＲＥＧＩＳＴＥＲメッセージ１００ｄとして通信制御装置１８に転送する。
通信制御装置１８は、多重制御装置１９からＲＥＧＩＳＴＥＲメッセージ１００ｄを受信すると、そのＲＥＧＩＳＴＥＲメッセージ１００ｄを正常に受信できたことを通知するため、ＩＰ基幹網７及びローカルＩＰ網５を介して、ＯＫメッセージ１１０ｃを多重制御装置１９に送信する。
多重制御装置１９は、通信制御装置１８からＯＫメッセージ１１０ｃを受信すると、ローカルＩＰ網５を介して、そのＯＫメッセージ１１０ｃをＯＫメッセージ１１０ｄとしてＶｏＩＰ端末１に送信する。
同様に、ＶｏＩＰ端末４の使用者がＶｏＩＰ端末４の電源を投入すると、ＶｏＩＰ端末４は、ローカルＩＰ網６を介して、自身のＩＰアドレスを含むＲＥＧＩＳＴＥＲメッセージ１２０ｃを多重制御装置２０に送信する。
多重制御装置２０は、ＶｏＩＰ端末４からＲＥＧＩＳＴＥＲメッセージ１２０ｃを受信すると、そのＲＥＧＩＳＴＥＲメッセージ１２０ｃに多重制御装置２０のＩＰアドレスを含め（ＲＥＧＩＳＴＥＲメッセージ１２０ｃに元々含まれているＶｏＩＰ端末４のＩＰアドレスを多重制御装置２０のＩＰアドレスに書き換える）、ローカルＩＰ網６及びＩＰ基幹網７を介して、そのＲＥＧＩＳＴＥＲメッセージ１２０ｃをＲＥＧＩＳＴＥＲメッセージ１２０ｄとして通信制御装置１８に転送する。
通信制御装置１８は、多重制御装置２０からＲＥＧＩＳＴＥＲメッセージ１２０ｄを受信すると、そのＲＥＧＩＳＴＥＲメッセージ１２０ｄを正常に受信できたことを通知するため、ＩＰ基幹網７及びローカルＩＰ網６を介して、ＯＫメッセージ１３０ｃを多重制御装置２０に送信する。
多重制御装置２０は、通信制御装置１８からＯＫメッセージ１３０ｃを受信すると、ローカルＩＰ網６を介して、そのＯＫメッセージ１３０ｃをＯＫメッセージ１３０ｄとしてＶｏＩＰ端末４に送信する。
上記のようにして、ＲＥＧＩＳＴＥＲメッセージとＯＫメッセージの交換により、通信制御装置１８には多重制御装置１９，２０のＩＰアドレス（位置情報）が登録される。
位置情報の登録が完了すると、以後、通信制御装置１８は、ＶｏＩＰ端末１，４間でＳＩＰメッセージの交換を行う場合、ＶｏＩＰ端末１が送信するＳＩＰメッセージは、ＶｏＩＰ端末４ではなく多重制御装置２０に転送し、ＶｏＩＰ端末４が送信するＳＩＰメッセージは、ＶｏＩＰ端末１ではなく多重制御装置１９に転送することができるようになる。
次に、ＶｏＩＰ端末１の使用者がＶｏＩＰ端末４との通話を希望し、ＶｏＩＰ端末４の電話番号をダイヤルすると、ＶｏＩＰ端末１は、ローカルＩＰ網５を介して、通話を希望する相手先（ＶｏＩＰ端末４）のＩＰアドレスを含むＩＮＶＩＴＥメッセージ２００ｋ（接続要求パケット）を多重制御装置１９に送信する。
このＩＮＶＩＴＥメッセージ２００ｋには、ＳＤＰによるセッション情報が含められ、通信相手（ＶｏＩＰ端末４）から送信される音声パケットの送り先ＩＰアドレスとして、ＶｏＩＰ端末１のＩＰアドレスがＳＤＰの中に記述される。
多重制御装置１９は、ＶｏＩＰ端末１からＩＮＶＩＴＥメッセージ２００ｋを受信すると、ローカルＩＰ網５及びＩＰ基幹網７を介して、そのＩＮＶＩＴＥメッセージ２００ｋをＩＮＶＩＴＥメッセージ２００ｌとして通信制御装置１８に転送する。
通信制御装置１８は、多重制御装置１９からＩＮＶＩＴＥメッセージ２００ｌを受信すると、ＩＰ基幹網７及びローカルＩＰ網６を介して、そのＩＮＶＩＴＥメッセージ２００ｌをＩＮＶＩＴＥメッセージ２００ｍとして多重制御装置２０に転送する。
ただし、ここでは、ＩＮＶＩＴＥメッセージ２００ｍを転送する際に、通信制御装置８のＩＰアドレスを示すＲｅｃｏｒｄ−ＲｏｕｔｅヘッダをＩＮＶＩＴＥメッセージ２００ｍに追加しないものとする。
多重制御装置２０は、通信制御装置１８からＩＮＶＩＴＥメッセージ２００ｍを受信すると、そのＩＮＶＩＴＥメッセージ２００ｍに含まれているＳＤＰによるセッション情報の書き換えを行う。
即ち、ＩＮＶＩＴＥメッセージ２００ｍに含まれているＳＤＰによるセッション情報には、通信相手（ＶｏＩＰ端末４）から送信される音声パケットの送り先ＩＰアドレスとして、ＶｏＩＰ端末１のＩＰアドレスが記述されているので、ＶｏＩＰ端末１のＩＰアドレスを多重伝送装置１１のＩＰアドレスに書き換える処理を行う。
多重制御装置２０は、ローカルＩＰ網６を介して、書換処理後のＩＮＶＩＴＥメッセージ２００ｍをＩＮＶＩＴＥメッセージ２００ｎとしてＶｏＩＰ端末４に送信する。
ＶｏＩＰ端末４は、多重制御装置２０からＩＮＶＩＴＥメッセージ２００ｎを受信すると、ＩＮＶＩＴＥメッセージ２００ｎを正常に受信できたことを通知するため、ローカルＩＰ網６を介して、通話を希望してきた相手先（ＶｏＩＰ端末１）のＩＰアドレスを含むＯＫメッセージ２１０ｋを多重制御装置２０に送信する。
このＯＫメッセージ２１０ｋには、ＳＤＰによるセッション情報が含められ、通信相手（ＶｏＩＰ端末１）から送信される音声パケットの送り先ＩＰアドレスとして、ＶｏＩＰ端末４のＩＰアドレスがＳＤＰの中に記述される。
多重制御装置２０は、ＶｏＩＰ端末４からＯＫメッセージ２１０ｋを受信すると、ローカルＩＰ網６及びＩＰ基幹網７を介して、そのＯＫメッセージ２１０ｋをＯＫメッセージ２１０ｌとして通信制御装置１８に転送する。
通信制御装置１８は、多重制御装置２０からＯＫメッセージ２１０ｌを受信すると、ＩＰ基幹網７及びローカルＩＰ網５を介して、そのＯＫメッセージ２１０ｌをＯＫメッセージ２１０ｍとして多重制御装置１９に転送する。
多重制御装置１９は、通信制御装置１８からＯＫメッセージ２１０ｍを受信すると、そのＯＫメッセージ２１０ｍに含まれているＳＤＰによるセッション情報の書き換えを行う。
即ち、ＯＫメッセージ２１０ｍに含まれているＳＤＰによるセッション情報には、通信相手（ＶｏＩＰ端末１）から送信される音声パケットの送り先ＩＰアドレスとして、ＶｏＩＰ端末４のＩＰアドレスが記述されているので、ＶｏＩＰ端末４のＩＰアドレスを多重伝送装置１０のＩＰアドレスに書き換える処理を行う。
多重制御装置１９は、ローカルＩＰ網５を介して、書換処理後のＯＫメッセージ２１０ｍをＯＫメッセージ２１０ｎとしてＶｏＩＰ端末１に送信する。
また、多重制御装置１９は、ＯＫメッセージ２１０ｎをＶｏＩＰ端末１に送信すると、ローカルＩＰ網５を介して、多重化情報３００を多重伝送装置１０に送信する。
ここで、多重伝送装置１０に送信される多重化情報３００には、ＩＰパケットの送信元であるＶｏＩＰ端末１のＩＰアドレスと、多重化されたＩＰパケットの送信先である多重伝送装置１１のＩＰアドレスと、最終的な転送先であるＶｏＩＰ端末４のＩＰアドレスとが含まれている。
また、多重制御装置２０は、ＯＫメッセージ２１０ｌを通信制御装置１８に送信すると、ローカルＩＰ網６を介して、多重化情報３１０を多重伝送装置１１に送信する。
ここで、多重伝送装置１１に送信される多重化情報３１０には、ＩＰパケットの送信元であるＶｏＩＰ端末４のＩＰアドレスと、多重化されたＩＰパケットの送信先である多重伝送装置１０のＩＰアドレスと、最終的な転送先であるＶｏＩＰ端末１のＩＰアドレスとが含まれている。
ＶｏＩＰ端末１は、多重制御装置１９からＯＫメッセージ２１０ｎを受信すると、ＯＫメッセージ２１０ｎを正常に受信できたことを通知するため、ＡＣＫメッセージ２２０をＶｏＩＰ端末４に送信する。
上述したように、通信制御装置１８がＩＮＶＩＴＥメッセージ２００ｍを転送する際に、通信制御装置１８のＩＰアドレスを示すＲｅｃｏｒｄ−ＲｏｕｔｅヘッダをＩＮＶＩＴＥメッセージ２００ｍに追加していないので、このＡＣＫメッセージ２２０は、通信制御装置８を経由しないで、直接、ＶｏＩＰ端末４に送信される。
上記のようにして、ＡＣＫメッセージ２２０の送信が完了した時点で、ＶｏＩＰ端末１，４が通信の確立を認識するが、多重制御装置１９がＯＫメッセージ２１０ｍに含まれているＳＤＰによるセッション情報の書き換えを行っているため、ＶｏＩＰ端末１は、音声パケットの送信先が多重伝送装置１０であると認識して、以降、音声パケットを多重伝送装置１０に送信する。
多重伝送装置１０は、ＶｏＩＰ端末１から音声パケットを受信すると、その音声パケットを多重化する。たたし、ＶｏＩＰ端末１以外のＶｏＩＰ端末（例えば、ＶｏＩＰ端末２）からも音声パケットを受信すると、複数の音声パケットからショートパケットを抜き出して、宛先多重伝送装置が同じであるショートパケットを集め、それらのショートパケットを再度多重化してＩＰパケット化する。
同様に、多重制御装置２０がＩＮＶＩＴＥメッセージ２００ｍに含まれているＳＤＰによるセッション情報の書き換えを行っているため、ＶｏＩＰ端末４は、音声パケットの送信先が多重伝送装置１１であると認識して、以降、音声パケットを多重伝送装置１１に送信する。
多重伝送装置１１は、ＶｏＩＰ端末４から音声パケットを受信すると、その音声パケットを多重化する。ただし、ＶｏＩＰ端末４以外のＶｏＩＰ端末（例えば、ＶｏＩＰ端末３）からも音声パケットを受信すると、複数の音声パケットからショートパケットを抜き出して、宛先多重伝送装置が同じであるショートパケットを集め、それらのショートパケットを再度多重化してＩＰパケット化する。
以上で明らかなように、この実施の形態１０によれば、多重制御装置１９，２０がＶｏＩＰ端末１，４間で送受信されるＳＩＰメッセージの中のＳＤＰによるセッション情報を書き換え、ＶｏＩＰ端末１，４から送信される音声パケットの送信先が多重伝送装置１０，１１であると認識させるように構成したので、多重伝送装置１０，１１において音声パケットを多重化することができるようになり、その結果、多数のＶｏＩＰ端末がローカルＩＰ網５，６に接続される場合でも、音声の伝送遅延の増大を招くことなく、ＩＰパケットのオーバーヘッドを低減することができる効果を奏する。
実施の形態１１．
上記実施の形態１０では、ＳＤＰによるセッション情報の交換か、ＩＮＶＩＴＥメッセージ２００とＯＫメッセージ２１０により行われる場合について説明したが、ＩＮＶＩＴＥメッセージ２００の中にＳＤＰによるセッション情報を含めずに、ＯＫメッセージ２１０とＡＣＫメッセージ２２０により、ＳＤＰによるセッション情報の交換が行われるようにしてもよい。
この場合、通信制御装置１８がＩＮＶＩＴＥメッセージ２００ｌを転送する際に、Ｒｅｃｏｒｄ−ＲｏｕｔｅヘッダをＩＮＶＩＴＥメッセージ２００ｌに追加していないと、ＡＣＫメッセージ２２０が通信制御装置１８を経由しないで、直接、ＶｏＩＰ端末４に送信されるため、多重制御装置２０がＡＣＫメッセージ２２０に含まれているＳＤＰによるセッション情報の書き換えを行うことができず、多重伝送装置１０，１１において音声パケットを多重化することができない。
このため、上記実施の形態１０によるパケット通信システムにおいては、使用するＶｏＩＰ端末、または、通信制御装置１８の仕様を限定する必要がある。
そこで、この発明の実施の形態１１では、ＳＤＰによるセッション情報の交換が、ＯＫメッセージ２１０とＡＣＫメッセージ２２０により行われ、かつ、通信制御装置１８がＲｅｃｏｒｄ−Ｒｏｕｔｅヘッダを追加していない場合でも、多重伝送装置１０，１１において音声パケットを多重化することができるようにしている。
第１６図はこの発明の実施の形態１１によるパケット通信システムの通信プロトコルを示すシーケンス図である。
次に動作について説明する。
ＶｏＩＰ端末１の使用者がＶｏＩＰ端末４との通話を希望し、ＶｏＩＰ端末４の電話番号をダイヤルすると、ＶｏＩＰ端末１は、ローカルＩＰ網５を介して、通話を希望する相手先（ＶｏＩＰ端末４）のＩＰアドレスを含むＩＮＶＩＴＥメッセージ２００ｏ（接続要求パケット）を多重制御装置１９に送信する。
ただし、ここでは、このＩＮＶＩＴＥメッセージ２００ｏには、ＳＤＰによるセッション情報を含めないものとする。
多重制御装置１９は、ＶｏＩＰ端末１からＩＮＶＩＴＥメッセージ２００ｏを受信すると、そのＩＮＶＩＴＥメッセージ２００ｏに自身（多重制御装置１９）のアドレスを示すＲｅｃｏｒｄ−Ｒｏｕｔｅヘッダを追加する。
そして、多重制御装置１９は、ローカルＩＰ網５及びＩＰ基幹網７を介して、そのＩＮＶＩＴＥメッセージ２００ｏをＩＮＶＩＴＥメッセージ２００ｐとして通信制御装置１８に転送する。
通信制御装置１８は、多重制御装置１９からＩＮＶＩＴＥメッセージ２００ｐを受信すると、ＩＰ基幹網７及びローカルＩＰ網６を介して、そのＩＮＶＩＴＥメッセージ２００ｐをＩＮＶＩＴＥメッセージ２００ｑとして多重制御装置２０に転送する。
ただし、通信制御装置１８がＩＮＶＩＴＥメッセージ２００ｑを転送する際、通信制御装置１８のアドレスを示すＲｅｃｏｒｄ−ＲｏｕｔｅヘッダをＩＮＶＩＴＥメッセージ２００ｑに追加しないものとする。
多重制御装置２０は、通信制御装置１８からＩＮＶＩＴＥメッセージ２００ｑを受信すると、そのＩＮＶＩＴＥメッセージ２００ｑに自身（多重制御装置２０）のアドレスを示すＲｅｃｏｒｄ−Ｒｏｕｔｅヘッダを追加する。
そして、多重制御装置２０は、ローカルＩＰ網６を介して、そのＩＮＶＩＴＥメッセージ２００ｑをＩＮＶＩＴＥメッセージ２００ｒとしてＶｏＩＰ端末４に転送する。
ＶｏＩＰ端末４は、多重制御装置２０からＩＮＶＩＴＥメッセージ２００ｒを受信すると、ＩＮＶＩＴＥメッセージ２００ｒを正常に受信できたことを通知するため、ローカルＩＰ網６を介して、通話を希望してきた相手先（ＶｏＩＰ端末１）のＩＰアドレスを含むＯＫメッセージ２１０ｏを多重制御装置２０に送信する。
このＯＫメッセージ２１０ｏには、ＳＤＰによるセッション情報が含められ、通信相手（ＶｏＩＰ端末１）から送信される音声パケットの送り先ＩＰアドレスとして、ＶｏＩＰ端末４のＩＰアドレスがＳＤＰの中に記述される。
多重制御装置２０は、ＶｏＩＰ端末４からＯＫメッセージ２１０ｏを受信すると、ローカルＩＰ網６及びＩＰ基幹網７を介して、そのＯＫメッセージ２１０ｏをＯＫメッセージ２１０ｐとして通信制御装置１８に転送する。
通信制御装置１８は、多重制御装置２０からＯＫメッセージ２１０ｐを受信すると、ＩＰ基幹網７及びローカルＩＰ網５を介して、そのＯＫメッセージ２１０ｐをＯＫメッセージ２１０ｑとして多重制御装置１９に転送する。
多重制御装置１９は、通信制御装置１８からＯＫメッセージ２１０ｑを受信すると、そのＯＫメッセージ２１０ｑに含まれているＳＤＰによるセッション情報の書き換えを行う。
即ち、ＯＫメッセージ２１０ｑに含まれているＳＤＰによるセッション情報には、通信相手（ＶｏＩＰ端末１）から送信される音声パケットの送り先ＩＰアドレスとして、ＶｏＩＰ端末４のＩＰアドレスが記述されているので、ＶｏＩＰ端末４のＩＰアドレスを多重伝送装置１０のＩＰアドレスに書き換える処理を行う。
多重制御装置１９は、ローカルＩＰ網５を介して、書換処理後のＯＫメッセージ２１０ｑをＯＫメッセージ２１０ｒとしてＶｏＩＰ端末１に送信する。
ＶｏＩＰ端末１は、多重制御装置１９からＯＫメッセージ２１０ｒを受信すると、ＯＫメッセージ２１０ｒを正常に受信できたことを通知するため、ローカルＩＰ網５を介して、ＡＣＫメッセージ２２０ｋを多重制御装置１９に送信する。
このＡＣＫメッセージ２２０ｋには、ＳＤＰによるセッション情報が含められ、通信相手（ＶｏＩＰ端末４）から送信される音声パケットの送り先ＩＰアドレスとして、ＶｏＩＰ端末１のＩＰアドレスがＳＤＰの中に記述される。
多重制御装置１９は、ＶｏＩＰ端末１からＡＣＫメッセージ２２０ｋを受信すると、ローカルＩＰ網５，ＩＰ基幹網７及びローカルＩＰ網６を介して、そのＡＣＫメッセージ２２０ｋをＡＣＫメッセージ２２０ｌとして多重制御装置２０に転送する。
この実施の形態１１では、上述したように、多重制御装置１９がＩＮＶＩＴＥメッセージ２００ｏに自身（多重制御装置１９）のＩＰアドレスを示すＲｅｃｏｒｄ−Ｒｏｕｔｅヘッダを追加し、多重制御装置２０がＩＮＶＩＴＥメッセージ２００ｑに自身（多重制御装置２０）のＩＰアドレスを示すＲｅｃｏｒｄ−Ｒｏｕｔｅヘッダを追加しているので、多重制御装置１９から送信されるＡＣＫメッセージ２２０ｌは、通信制御装置１８を経由せずに、多重制御装置２０に送信される。
多重制御装置２０は、多重制御装置１９からＡＣＫメッセージ２２０ｌを受信すると、そのＡＣＫメッセージ２２０ｌに含まれているＳＤＰによるセッション情報の書き換えを行う。
即ち、ＡＣＫメッセージ２２０ｌに含まれているＳＤＰによるセッション情報には、通信相手（ＶｏＩＰ端末４）から送信される音声パケットの送り先ＩＰアドレスとして、ＶｏＩＰ端末１のＩＰアドレスが記述されているので、ＶｏＩＰ端末１のＩＰアドレスを多重伝送装置１１のＩＰアドレスに書き換える処理を行う。
多重制御装置２０は、ローカルＩＰ網６を介して、書換処理後のＡＣＫメッセージ２２０ｌをＡＣＫメッセージ２２０ｍとしてＶｏＩＰ端末４に送信する。
以上で明らかなように、この実施の形態１１によれば、ＳＤＰによるセッション情報の交換が、ＯＫメッセージ２１０とＡＣＫメッセージ２２０により行われ、かつ、通信制御装置１８がＲｅｃｏｒｄ−Ｒｏｕｔｅヘッダを追加していない場合でも、多重制御装置１９，２０がＲｅｃｏｒｄ−Ｒｏｕｔｅヘッダを追加し、ＳＤＰを含むＡＣＫメッセージを強制的に多重制御装置１９，２０を経由して転送するように構成したので、通信制御装置１８がＲｅｃｏｒｄ−Ｒｏｕｔｅヘッダを追加するか否かに拘わらず、多重制御装置１９，２０がＶｏＩＰ端末１，４間で送受信されるＳＩＰメッセージの中のＳＤＰによるセッション情報を書き換えることができるようになり、その結果、多数のＶｏＩＰ端末がローカルＩＰ網５，６に接続される場合でも、音声の伝送遅延の増大を招くことなく、ＩＰパケットのオーバーヘッドを低減することができる効果を奏する。
実施の形態１２．
この実施の形態１２では、ＶｏＩＰ端末間の通話が終了する際の終話処理について説明する。
第１７図はこの発明の実施の形態１２によるパケット通信システムの通信プロトコルを示すシーケンス図である。
次に動作について説明する。
ＶｏＩＰ端末１の使用者が電話番号をダイヤルしてから、ＳＩＰメッセージの交換を経て、ＶｏＩＰ端末１，４間の通信が確立し、音声パケットの送受信を行うまでの処理については、上記実施の形態７と同様であるため説明を省略する。
ＶｏＩＰ端末１，４間の通話が終了し、通話者のいずれか一方、例えば、ＶｏＩＰ端末１の使用者がオンフックして終話の処理を行うと、ＶｏＩＰ端末１は、ローカルＩＰ網５を介して、ＢＹＥメッセージ２３０ａを通信制御装置８に送信する。たたし、ＶｏＩＰ端末１から通信制御装置８に対する伝送路上には多重制御装置９が存在するので、ＶｏＩＰ端末１から送信されるＢＹＥメッセージ２３０ａは、通信制御装置８が受信する前に多重制御装置９が受信する。
多重制御装置９は、ＶｏＩＰ端末１からＢＹＥメッセージ２３０ａを受信すると、そのＢＹＥメッセージ２３０ａをＢＹＥメッセージ２３０ｂとして通信制御装置８に転送する。
通信制御装置８は、多重制御装置９からＢＹＥメッセージ２３０ｂを受信すると、そのＢＹＥメッセージ２３０ｂをＢＹＥメッセージ２３０ｃとしてＶｏＩＰ端末４に転送する。ただし、通信制御装置８からＶｏＩＰ端末４に対する伝送路上には多重制御装置９が存在するので、通信制御装置８から転送されるＢＹＥメッセージ２３０ｃは、ＶｏＩＰ端末４が受信する前に多重制御装置９が受信する。
多重制御装置９は、通信制御装置８からＢＹＥメッセージ２３０ｃを受信すると、ローカルＩＰ網５，ＩＰ基幹網７及びローカルＩＰ網６を介して、そのＢＹＥメッセージ２３０ｃをＢＹＥメッセージ２３０ｄとしてＶｏＩＰ端末４に送信する。
ＶｏＩＰ端末４は、多重制御装置９からＢＹＥメッセージ２３０ｄを受信すると、そのＢＹＥメッセージ２３０ｄを正常に受信できたことを通知するため、ローカルＩＰ網６，ＩＰ基幹網７及びローカルＩＰ網５を介して、ＯＫメッセージ２４０ａを通信制御装置８に送信する。ただし、ＶｏＩＰ端末４から通信制御装置８に対する伝送路上には多重制御装置９が存在するので、ＶｏＩＰ端末４から送信されるＯＫメッセージ２４０ａは、通信制御装置８が受信する前に多重制御装置９が受信する。
多重制御装置９は、ＶｏＩＰ端末４からＯＫメッセージ２４０ａを受信すると、そのＯＫメッセージ２４０ａをＯＫメッセージ２４０ｂとして通信制御装置８に転送する。
通信制御装置８は、多重制御装置９からＯＫメッセージ２４０ｂを受信すると、そのＯＫメッセージ２４０ｂをＯＫメッセージ２４０ｃとしてＶｏＩＰ端末１に転送する。ただし、通信制御装置８からＶｏＩＰ端末１に対する伝送路上には多重制御装置９が存在するので、通信制御装置８から転送されるＯＫメッセージ２４０ｃは、ＶｏＩＰ端末１か受信する前に多重制御装置９が受信する。
多重制御装置９は、通信制御装置８からＯＫメッセージ２４０ｃを受信すると、ローカルＩＰ網５を介して、そのＯＫメッセージ２４０ｃをＯＫメッセージ２４０ｄとしてＶｏＩＰ端末１に送信する。
多重制御装置９は、上記のようにして、ＶｏＩＰ端末１から送信されたＢＹＥメッセージ２３０ａを受信すると、ＶｏＩＰ端末１，４間の通話が終了したものと認識し、ローカルＩＰ網５を介して、先に送信した多重化情報３００の消去を指示する多重化情報クリア指示３２０を多重伝送装置１０に送信する。
また、ローカルＩＰ網５，ＩＰ基幹網７及びローカルＩＰ網６を介して、先に送信した多重化情報３１０の消去を指示する多重化情報クリア指示３３０を多重伝送装置１１に送信する。
多重伝送装置１０は、多重制御装置９から多重化情報クリア指示３２０を受信すると、内部に保存している多重化情報３００、即ち、ＶｏＩＰ端末１，４間で送受信される音声パケットを多重化するために必要なＩＰアドレスの情報を消去する。
また、多重伝送装置１１は、多重制御装置９から多重化情報クリア指示３３０を受信すると、内部に保存している多重化情報３１０、即ち、ＶｏＩＰ端末１，４間で送受信される音声パケットを多重化するために必要なＩＰアドレスの情報を消去する。
以上で明らかなように、この実施の形態１２によれば、ＶｏＩＰ端末から送信されるＢＹＥメッセージを受信すると、ＶｏＩＰ端末間の通話が終了したものと認識するように構成したので、ＶｏＩＰ端末間の通話の終了を速やかに検出して多重化情報を消去することができる効果を奏する。
実施の形態１３．
上記実施の形態１２では、多重制御装置９がＶｏＩＰ端末１から送信されるＢＹＥメッセージ２３０ａを受信すると、ＶｏＩＰ端末１，４間の通話が終了したものと認識して、多重化情報クリア指示３２０，３３０を多重伝送装置１０，１１に送信するものについて示したが、多重制御装置９がＶｏＩＰ端末４から送信されるＯＫメッセージ２４０ａを受信すると、ＶｏＩＰ端末１，４間の通話が終了したものと認識して、多重化情報クリア指示３２０，３３０を多重伝送装置１０，１１に送信するようにしてもよい。
具体的には次の通りである。
第１８図はこの発明の実施の形態１３によるパケット通信システ厶の通信プロトコルを示すシーケンス図である。
多重制御装置９は、ＶｏＩＰ端末４から送信されたＯＫメッセージ２４０ａを受信すると、上記実施の形態１２と同様に、そのＯＫメッセージ２４０ａをＯＫメッセージ２４０ｂとして通信制御装置８に転送する。
また、多重制御装置９は、ＶｏＩＰ端末４から送信されたＯＫメッセージ２４０ａを受信すると、ＶｏＩＰ端末１，４間の通話が終了したものと認識し、ローカルＩＰ網５を介して、先に送信した多重化情報３００の消去を指示する多重化情報クリア指示３２０を多重伝送装置１０に送信する。
また、ローカルＩＰ網５，ＩＰ基幹網７及びローカルＩＰ網６を介して、先に送信した多重化情報３１０の消去を指示する多重化情報クリア指示３３０を多重伝送装置１１に送信する。
その他の動作については、上記実施の形態１２と同様であるため説明を省略する。
以上で明らかなように、この実施の形態１３によれば、ＢＹＥメッセージへの応答としてＶｏＩＰ端末から送信されるＯＫメッセージを受信したとき、ＶｏＩＰ端末間の通話が終了したものと認識するように構成したので、ＶｏＩＰ端末間の通話の終了を速やかに検出して多重化情報を消去することができる効果を奏する。
実施の形態１４．
上記実施の形態１２，１３では、多重制御装置９がＶｏＩＰ端末から送信されるＢＹＥメッセージ、または、ＯＫメッセージを受信すると、ＶｏＩＰ端末間の通話が終了したものと認識して、多重化情報クリア指示３２０，３３０を多重伝送装置１０，１１に送信するものについて示したが、これに限るものではなく、次のようにしてもよい。
例えば、多重伝送装置１０，１１がＶｏＩＰ端末間で送受信される音声パケットの有無を監視し、その音声パケットの送受信が一定時間以上無い状態が継続すると、内部に保存している多重化情報３００，３１０を消去するようにしてもよい。
以上で明らかなように、この実施の形態１４によれば、多重伝送装置１０，１１がＶｏＩＰ端末間で送受信される音声パケットの有無を監視し、その音声パケットの送受信が一定時間以上無い状態が継続すると、内部に保存している多重化情報３００，３１０を消去するように構成したので、多重制御装置９から送信される多重化情報クリア指示３２０，３３０を受信することなく、内部に保存している多重化情報３００，３１０を消去することができる。そのため、多重制御装置９と多重伝送装置１０，１１間のメッセージ量を低減することができる効果を奏する。
【産業上の利用可能性】  以上のように、この発明に係るパケット通信システムは、多数のＶｏＩＰ端末がネットワークに接続される場合でも、音声の伝送遅延の増大を招くことなく、ＩＰパケットのオーバーヘッドを低減する必要があるものに適している。
【図１】
2005107183.tif 000002
【図２】
2005107183.tif 000003
【図３】
2005107183.tif 000004
【図４】
2005107183.tif 000005
【図５】
2005107183.tif 000006
【図６】
2005107183.tif 000007
【図７】
2005107183.tif 000008
【図８】
2005107183.tif 000009
【図９】
2005107183.tif 000010
【図１０】
2005107183.tif 000011
【図１１】
2005107183.tif 000012
【図１２】
2005107183.tif 000013
【図１３】
2005107183.tif 000014
【図１４】
2005107183.tif 000015
【図１５】
2005107183.tif 000016
【図１６】
2005107183.tif 000017
【図１７】
2005107183.tif 000018
【図１８】
2005107183.tif 000019
【国際調査報告】
2005107183.tif 000020
2005107183.tif 000021
2005107183.tif 000022
2005107183.tif 000023